(57)【特許請求の範囲】
【請求項１】
構造体を構造用途別の常時開放通気の専用ゾーンと通気及び通気制御の専用ゾーンとして分別し、通気及び通気制御を行う上で、常時開放通気の専用ゾーンに常時開口の自然開放通気機器、通気及び通気制御の専用ゾーンに温度差利用の形状記憶合金使用とする自動開閉式の自然通気制御機器を専用ゾーン別基本常設機能として附設し、常時開放通気の専用ゾーンと通気及び通気制御の専用ゾーンを気密断熱区画し、且つ専用ゾーン別通気構造から構成される断熱通気構造体１であって、
当該断熱通気構造体１が常時開放通気の独立した専用ゾーンの屋根断熱通気構造ＹＤで一体形状の棟部常時通気専用経路Ｚ１１を形成する屋根裏ゾーンＺ１と、通気及び通気制御の専用ゾーンとする小屋裏断熱通気構造ＫＤ又は小屋裏通気構造ＫＤ１の小屋裏ゾーンＺ２及び床下断熱通気構造ＵＤの床下ゾーンＺ３の専用ゾーン別通気構造から構成され又、通気及び通気制御の専用ゾーンの小屋裏ゾーンＺ２と床下ゾーンＺ３の連通による連携で通気及び通気制御を行うとし又、当該小屋裏ゾーンＺ２と床下ゾーンＺ３の連絡通気を形成する上で、さらに、内壁断熱通気構造ＷＤの内壁通気構造体ＷＺから構成されることを特徴とするものであり、
当該小屋裏ゾーンＺ２及び床下ゾーンＺ３が連結状態の外壁に面する内壁が全周一連の内壁断熱通気構造ＷＤの内壁通気構造体ＷＺを介し、常時連通され、連携して通気及び通気制御を行うものであって又、上記断熱通気構造体１の特徴とする常時開放通気の専用ゾーンの屋根裏ゾーンＺ１の通気構造形状が屋根下葺材Ｎと小屋裏とを一定の厚さの板状の断熱フォームＡを用い気密断熱区画し、屋根通気層Ｖ１を形成する屋根断熱通気構造ＹＤと棟部常時通気専用経路Ｚ１１が一体形状で形成され、軒天に軒天換気口Ｎｇ、棟部常時通気専用経路Ｚ１１に棟部妻面換気ガラリＲＶ及び棟換気口Ｍの常時開口の自然開放通気機器が基本常設機能として附設構成されることを特徴とする屋根裏ゾーンＺ１であり、
又、屋根断熱通気構造ＹＤと一体形状で形成される棟部常時通気専用経路Ｚ１１とする特徴が、屋根棟中心に位置し、棟を頂点とし、底面が平面状の一定の幅 e１で、左右ｈ１の高さのコ型の形状とした三方を一定の厚さの板状の断熱フォームＡを用い下地構成し、棟を含む内部空洞の通気層とする箱状で、さらに両端を小屋裏の両側の妻壁と一体形成とした一連の左右ｈ１の高さで小屋裏ゾーンＺ２と気密断熱区画され、屋根断熱通気構造ＹＤと一体形状の左右連通で形成される場合と、又はその形状が棟を頂点とし、棟を含む内部空洞で平面状の底面の一面で屋根断熱通気構造ＹＤと左右一体形状とし、左右連通で形成され、底面より棟までの高さを両側の棟部妻面換気ガラリＲＶが取り付可能な高さとし、底面を一定の厚さの板状の断熱フォームＡを用い下地構成し、内部空洞の通気層とし、両端を小屋裏の両側の妻壁と一体形成とした一連の形状で小屋裏ゾーンＺ２と気密断熱区画し形成される場合の、いずれも屋根裏ゾーンＺ１の常時通気専用経路Ｚ１１の特徴とするもので、同棟部常時通気専用経路Ｚ１１に附設構成された基本常設機能の両側の妻面壁の妻面換気ガラリＲＶ及び、棟換気口Ｍの通気による常時直接外気Ｇの進入・通気・排出を促す棟部常時通気専用経路Ｚ１１であり、
さらに、当該棟部常時通気専用経路Ｚ１１と屋根断熱通気構造ＹＤの一体形成である屋根裏ゾーンＺ１の通気形態が、常時開口の軒天換気口Ｎｇ又は外壁通気層Ｖ２より進入する外気Ｇ又は気流ｇ０が屋根断熱通気構造ＹＤの屋根通気層Ｖ１の通気路Ｖ１１を経過し、同棟部常時通気専用経路Ｚ１１内に進入し、同棟部妻面換気ガラリＲＶと棟換気口Ｍの連携により常時通気・排出される常時開放通気の独立した通気専用ゾーンであることを特徴とし、
又、小屋裏ゾーンＺ２は、屋根断熱通気構造ＹＤの、小屋裏面の一定の厚さの板状の断熱フォームＡと一定の厚さの板状の断熱フォームＣを密接した室内天井又は天井Ｃ０で区画され、小屋裏断熱通気構造ＫＤ又は小屋裏通気構造ＫＤ１で、同ゾーンＺ２を通気層とし、又、当該小屋裏ゾーンＺ２と連結状態の外壁に面する内壁に一定の厚さの板状の断熱フォームＢを施した内壁通気構造体ＷＺの内壁断熱通気構造ＷＤの内壁通気層Ｖ３と常時連通の状態であり、同ゾーンＺ２の小屋裏の両側妻壁に、通気及び通気制御の自動開閉式の自然通気制御機器で、上下一定の温度を定め開閉する温度差利用の熱感知式形状記憶合金使用の換気ガラリＴ１が通気及び通気制御の基本常設機能として構成されていることを特徴とする、小屋裏の通気及び通気制御をする小屋裏断熱通気構造ＫＤ又は、小屋裏通気構造ＫＤ１の小屋裏ゾーンＺ２であり又、
床下ゾーンＺ３は、床下地断熱施工の一定の厚さの板状の床断熱フォームＤと、一体土間的仕様で防湿施工のベタ基礎ベースＦ及び、一定の厚さの板状の断熱フォームＤ´で内側断熱施工された立ち上り断熱布基礎Ｆ１にて断熱区画され、同ゾーンＺ３を通気層とする床下断熱通気構造ＵＤであって、
又、小屋裏ゾーンＺ２と連結し、一連の通気層として形成される、外壁に面する内壁通気構造体ＷＺの内壁断熱通気構造ＷＤの内壁通気層Ｖ３と常時連通の連結状態であり、同立ち上り断熱布基礎Ｆ１に通気及び通気制御の自動開閉式の自然通気制御機器で、小屋裏ゾーンＺ２と同型式の温度差利用の熱感知式形状記憶合金使用の床下換気口Ｔ１が、通気及び通気制御の基本常設機能として構成されていることを特徴とし、床下の通気及び通気制御をする床下断熱通気構造ＵＤの床下ゾーンＺ３で、
連通状態の小屋裏ゾーンＺ２との通気形態は、外気温が一定温度以上の場合同時開口し、両ゾーン内の直接外気Ｇの進入と通気排出を促し、又床下ゾーンＺ３に進入し、上昇する気流が連通する内壁通気層Ｖ３の通気路Ｖ３３を経過し、小屋裏ゾーンＺ２内に進入し、同ゾーンＺ２内の気流と合流した気流が、両側妻壁に附設された自動開閉式の換気ガラリＴ１により通気排出され又、一定の温度以下で同時閉鎖され、外気の進入を自動通気制御し、連携して通気及び通気制御を行う小屋裏ゾーンＺ２と床下ゾーンＺ３であり、
常時開放通気の専用ゾーンとする断熱通気構造の屋根裏ゾーンＺ１、通気及び通気制御の専用ゾーンとする断熱通気構造又は通気構造の小屋裏ゾーンＺ２及び断熱通気構造の床下ゾーンＺ３の専用ゾーン別通気構造から構成され、常時開放通気の専用ゾーンに棟部常時通気専用経路Ｚ１１を附設構成し、常時開口の自然開放通気機器を附設し又、通気及び通気制御の専用ゾーンに自動開閉式の自然通気制御機器を附設し専用ゾーン別基本常設機能として用い、専用ゾーン別通気及び通気制御を行うことを特徴とする断熱通気構造体１の、
当該屋根の形状が四方傾斜状態の場合の屋根裏ゾーンＺ１で、四方傾斜状態の屋根断熱通気構造ＹＤと四方一体形状で構成される場合の屋根裏ゾーンＺ１の棟部常時通気専用経路Ｚ１１に、通気専用棟ＷＴが附設構成され、棟部常時通気専用経路Ｚ１２として組み合わせ構成されることを特徴とする屋根裏ゾーンＺ１で、又、前記小屋裏ゾーンＺ２の通気及び通気制御の基本常設機能が棟部常時通気専用経路Ｚ１２に附設構成され、同小屋裏ゾーンＺ２の通気及び通気制御の媒介ゾーンとして構成されることを特徴とする屋根裏ゾーンＺ１であって、
屋根の長辺方向又は短辺方向の傾斜面に、屋根棟及び妻壁が構成される通気専用棟ＷＴを、棟を中心とし、両側に平行して構築し、屋根裏ゾーンＺ１として屋根断熱通気構造ＹＤと一体形状で構成される棟部常時通気専用経路であり、当該専用経路の底面が平面状の一定の幅２で最高の高さｈ２の、四方を連通する屋根通気層Ｖ１を形成する屋根断熱通気構造ＹＤと一体形状で形成され又、両端部が両側の通気専用棟ＷＴの妻壁と一体形成とした一連の形状で、長さＬとし、棟を含む内部空洞の通気層とし、周囲が一定の厚さの板状の断熱フォームＡで小屋裏ゾーンＺ２と気密断熱区画された一体箱状の棟部常時通気専用経路Ｚ１２として構成され、当該四方傾斜状態の屋根断熱通気構造ＹＤと一体形状で構成されることを特徴とする屋根裏ゾーンＺ１であって、
軒天及び同通気専用経路Ｚ１２に、軒天換気口Ｎｇ、妻面換気ガラリＲＶ及び棟換気口Ｍの常時開口の自然開放通気機器が基本常設機能として附設構成され、同軒天換気口Ｎｇ及び外壁通気層Ｖ２より進入する外気Ｇ又は上昇気流ｇ０が屋根通気層Ｖ１の通気路Ｖ１１を経過し、同通気専用経路Ｚ１２の換気ガラリＲＶ及び棟換気口Ｍの連携により通気・排出されるものであり、
又、小屋裏ゾーンＺ２の通気・排出及び通気制御が、同通気専用経路Ｚ１２を媒介しておこなわれるもので、同通気専用経路Ｚ１２の左右の最高の高さｈ２で周囲気密断熱区画された立ち上り壁部分に、小屋裏ゾーンＺ２の通気媒介とする上下一定の温度を定め開閉する温度差利用の熱感知式形状記憶合金使用の自動開閉式の換気ガラリＴ１、あるいはソーラーエネルギーを主とした設定温度、設定湿度を感知し自動開閉する開閉専用の電気式シャッターＫ４のいずれかの自動開閉式の通気制御機器を最低一台附設とし、小屋裏ゾーンＺ２の通気及び通気制御の媒介機能とし、屋根裏ゾーンＺ１の基本常設機能として附設構成されることを特徴とするもので、
その通気形態は、床下ゾーンＺ３に進入した気流が上昇気流として連通する内壁通気構造体ＷＺの通気層Ｖ３の通気路Ｖ３３を経過し、小屋裏ゾーンＺ２内に進入し、上記のいずれかの附設される自動開閉式の通気制御機器が一定温度以上で開口し、連通状態となった同通気専用経路Ｚ１２内に進入し、常設の常時開口の自然開放通気機器の換気ガラリＲＶ及び棟換気口Ｍにより通気・排出され又、外気温及び同ゾーンＺ２さらに同通気専用経路Ｚ１２内の温度が一定以下の場合、床下換気口と同時閉鎖し気流の侵入を自動制御するもので、小屋裏ゾーンＺ２の通気及び通気制御が屋根裏ゾーンＺ１を媒介し行われることを特徴とし、
さらに、小屋裏ゾーンＺ２の通気及び通気制御を媒介して行う上で、自動開閉式の換気ガラリＴ１あるいは開閉専用の電気式シャッターＫ４を媒介の機能として、通気専用棟ＷＴと直角方向の同通気専用経路Ｚ１２の立ち上り区画壁面に附設する特徴が、底部開閉式ダンパー設置による底部のほこり溜りを因とした開閉の支障をなくすべく解決策とするものであり、又、小屋裏ゾーンＺ２の占用面積あるいは同構造体規模に応じた通気効果を得る場合、同常時通気専用経路Ｚ１２の最高の高さｈ２として形成される立ち上り区画壁の両側を取り付け面とし、一定多数の自動開閉式の通気制御機器を附設することができることを特徴とし、前記屋根裏ゾーンＺ１の屋根の形状が四方傾斜状態となる場合の屋根断熱通気構造ＹＤの同屋根裏ゾーンＺ１に通気専用棟ＷＴを附設構成し、前記棟部常時通気専用経路Ｚ１１が四方傾斜状態の屋根断熱通気構造ＹＤと四方連通の一体形状の棟部常時通気専用経路Ｚ１２として附設構成されることを特徴とする断熱通気構造体１の施工方法。
【請求項２】
常時開放通気の専用ゾーンとする屋根断熱通気構造ＹＤの屋根裏ゾーンＺ１、通気及び通気制御の専用ゾーンとする小屋裏断熱通気構造ＫＤ又は通気構造ＫＤ１の小屋裏ゾーンＺ２及び床下断熱通気構造ＵＤの床下ゾーンＺ３の専用ゾーン別通気構造から構成される断熱通気構造体１であって、通気及び通気制御の専用ゾーンの床下ゾーンＺ３と小屋裏ゾーンＺ２の連通による連携の通気及び通気制御を行い、さらに床下ゾーンＺ３と小屋裏ゾーンＺ２の連絡通気を形成する上で、連結され連通状態の断熱通気構造の内壁通気構造体ＷＺから構成されていることを特徴とする断熱通気構造体１の、
床下ゾーンＺ３の床下を防湿施工の土間コンクリート仕様で、周囲立ち上りを板状の断熱フォームＤ´で内側断熱された断熱布基礎Ｆ１とし床下地に断熱施工をせず、床下の通気・換気をなくし、床下熱源媒介の床暖房施工とする場合の床下密閉構造の床下密閉ゾーンＺ４とした断熱通気構造体１´であり、
当該断熱通気構造体１´とする専用ゾーン別構成が、上記の屋根裏ゾーンＺ１、小屋裏ゾーンＺ２及び床下密閉ゾーンＺ４の構成と、さらに、小屋裏ゾーンＺ２と連結され、連通状態の内壁断熱通気構造ＷＤの内壁通気構造体ＷＺから構成されることを特徴とし又、外壁に面する外周一連の断熱通気構造ＷＤで通気層Ｖ３を形成する内壁通気構造体ＷＺと小屋裏ゾーンＺ２の連通による連携の通気及び通気制御を行う通気形態として、
周囲外壁Уの下部に一定の数量を定め常設する、同外壁Уの通気層Ｖ２を貫通し、当該外壁に面して全周一連の連通状態の内壁通気構造体ＷＺの内壁断熱通気構造ＷＤの下部通気層Ｖ３への取り込み通気とする、上下一定の温度を定め開閉する、小屋裏ゾーンＺ２の自動開閉式の自然通気制御機器と同型式の温度差利用の熱感知式形状記憶合金使用の換気ガラリＴ１を附設し、取り込み通気と通気制御の基本常設機能とし、連結状態で連通する小屋裏ゾーンＺ２と連携の通気及び通気制御を行うもので、
外気温が一定温度以上の場合に、小屋裏ゾーンＺ２の両側の妻壁の基本常設機能の自動開閉式換気ガラリＴ１と同時に開口し、附設され取り込み通気とした同型式の換気ガラリＴ１に進入する外気Ｇが、上記通気層Ｖ３の通気路Ｖ３３を同通気層内の熱気又は湿気を伴う上昇気流ｇ２として経過し、小屋裏ゾーンＺ２内に進入し、さらに同ゾーンＺ２内の熱気あるいは淀んだ空気を伴い、又は同ゾーンＺ２内に直接進入する外気Ｇとの合流の気流ｇ３として同ゾーンＺ２の両妻壁の同換気ガラリＴ１により通気・排出され、又、外気温が一定温度以下の場合は同時に閉鎖し、外気の進入を自動通気制御するものであり、
前記断熱通気構造体１の床下断熱通気構造ＵＤの床下ゾーンＺ３を床下密閉ゾーンＺ４と
し、通気及び通気制御の専用ゾーンの小屋裏ゾーンＺ２と連携して通気及び通気制御を行うべく、同ゾーンＺ２と連結し連通する内壁通気構造体ＷＺの下部に、自動開閉式の自然通気制御機器Ｔ１を取り込み通気として附設構成し、前記断熱通気構造体１と組み合わせ構成されることを特徴とする断熱通気構造体１´の、
当該屋根の形状が四方傾斜状態の場合の屋根裏ゾーンＺ１で、四方傾斜状態の屋根断熱通気構造ＹＤと四方一体形状で構成される場合の屋根裏ゾーンＺ１の棟部常時通気専用経路Ｚ１１に、通気専用棟ＷＴが附設構成され、棟部常時通気専用経路Ｚ１２として組み合わせ構成されることを特徴とする屋根裏ゾーンＺ１で、又、前記小屋裏ゾーンＺ２の通気及び通気制御の基本常設機能が棟部常時通気専用経路Ｚ１２に附設構成され、同小屋裏ゾーンＺ２の通気及び通気制御の媒介ゾーンとして構成されることを特徴とする屋根裏ゾーンＺ１であって、
屋根の長辺方向又は短辺方向の傾斜面に、屋根棟及び妻壁が構成される通気専用棟ＷＴを、棟を中心とし、両側に平行して構築し、屋根裏ゾーンＺ１として屋根断熱通気構造ＹＤと一体形状で構成される棟部常時通気専用経路であり、当該専用経路の底面が平面状の一定の幅２で最高の高さｈ２の、四方を連通する屋根通気層Ｖ１を形成する屋根断熱通気構造ＹＤと一体形状で形成され又、両端部が両側の通気専用棟ＷＴの妻壁と一体形成とした一連の形状で、長さＬとし、棟を含む内部空洞の通気層とし、周囲が一定の厚さの板状の断熱フォームＡで小屋裏ゾーンＺ２と気密断熱区画された一体箱状の棟部常時通気専用経路Ｚ１２として構成され、当該四方傾斜状態の屋根断熱通気構造ＹＤと一体形状で構成されることを特徴とする屋根裏ゾーンＺ１であって、
軒天及び同通気専用経路Ｚ１２に、軒天換気口Ｎｇ、妻面換気ガラリＲＶ及び棟換気口Ｍの常時開口の自然開放通気機器が基本常設機能として附設構成され、同軒天換気口Ｎｇ及び外壁通気層Ｖ２より進入する外気Ｇ又は上昇気流ｇ０が屋根通気層Ｖ１の通気路Ｖ１１を経過し、同通気専用経路Ｚ１２の換気ガラリＲＶ及び棟換気口Ｍの連携により通気・排出されるものであり、
又、小屋裏ゾーンＺ２の通気・排出及び通気制御が、同通気専用経路Ｚ１２を媒介しておこなわれるもので、同通気専用経路Ｚ１２の左右の最高の高さｈ２で周囲気密断熱区画された立ち上り壁部分に、小屋裏ゾーンＺ２の通気媒介とする上下一定の温度を定め開閉する温度差利用の熱感知式形状記憶合金使用の自動開閉式の換気ガラリＴ１、あるいはソーラーエネルギーを主とした設定温度、設定湿度を感知し自動開閉する開閉専用の電気式シャッターＫ４のいずれかの自動開閉式の通気制御機器を最低一台附設とし、小屋裏ゾーンＺ２の通気及び通気制御の媒介機能とし、屋根裏ゾーンＺ１の基本常設機能として附設構成されることを特徴とするもので、
その通気形態は、取り込み通気として附設構成された内壁通気構造体ＷＺの下部の自動開閉式の自然通気制御機器Ｔ１に進入した気流が上昇気流として同通気構造体ＷＺの通気層Ｖ３の通気路Ｖ３３を経過し、小屋裏ゾーンＺ２内に進入し、上記のいずれかの附設される自動開閉式の通気制御機器が一定温度以上で開口し、連通状態となった同通気専用経路Ｚ１２内に進入し、常設の常時開口の自然開放通気機器の換気ガラリＲＶ及び棟換気口Ｍにより通気・排出され又、外気温及び同ゾーンＺ２さらに同通気専用経路Ｚ１２内の温度が一定以下の場合、内壁通気構造体ＷＺの下部の自動開閉式の自然通気制御機器Ｔ１と同時閉鎖し気流の侵入を自動制御するもので、小屋裏ゾーンＺ２の通気及び通気制御が屋根裏ゾーンＺ１を媒介し行われることを特徴とし、
さらに、小屋裏ゾーンＺ２の通気及び通気制御を媒介して行う上で、自動開閉式の換気ガラリＴ１あるいは開閉専用の電気式シャッターＫ４を媒介の機能として、通気専用棟ＷＴと直角方向の同通気専用経路Ｚ１２の立ち上り区画壁面に附設する特徴が、底部開閉式ダンパー設置による底部のほこり溜りを因とした開閉の支障をなくすべく解決策とするものであり、又、小屋裏ゾーンＺ２の占用面積あるいは同構造体規模に応じた通気効果を得る場合、同常時通気専用経路Ｚ１２の最高の高さｈ２として形成される立ち上り区画壁の両側を取り付け面とし、一定多数の自動開閉式の通気制御機器を附設することができることを特徴とし、前記屋根裏ゾーンＺ１の屋根の形状が四方傾斜状態となる場合の屋根断熱通気構造ＹＤの同屋根裏ゾーンＺ１に通気専用棟ＷＴを附設構成し、前記棟部常時通気専用経路Ｚ１１が四方傾斜状態の屋根断熱通気構造ＹＤと四方連通の一体形状の棟部常時通気専用経路Ｚ１２として附設構成されることを特徴とする断熱通気構造体１の施工方法。
【請求項３】
前記請求項１または請求項２記載の屋根の形状が四方傾斜状態の場合の屋根裏ゾーンＺ１の通気及び通気制御機能が、小屋裏ゾーンＺ２の通気及び通気制御を媒介する共用の通気及び通気制御の機能であって、屋根裏ゾーンＺ１に位置し、専用ゾーン別ハイブリッド通気及び通気制御機能ＫＣ−４又は、ハイブリッド通気及び通気制御機能ＫＣ−５として構成されることを特徴とする、屋根裏ゾーンＺ１と小屋裏ゾーンＺ２共用のハイブリッド通気及び通気制御の方法であって、常時開放通気の専用ゾーンとする屋根裏ゾーンＺ１、通気及び通気制御の専用ゾーンとする小屋裏ゾーンＺ２の専用ゾーン別通気及び通気制御とすべく、当該屋根裏ゾーンＺ１の基本常設機能の常時開口の自然開放通気機器以外に、小屋裏ゾーンＺ２の屋根裏ゾーンＺ１への取り込み通気媒介とする、通気及び通気制御の自動開閉式の自然通気制御機器又は開閉専用の電気式シャッターＫ４を附設した屋根裏ゾーンＺ１の基本常設機能とし、補助としてソーラーエネルギーを主とする設定温度、設定湿度を温度センサーＴＣ、湿度センサーＨＣが感知し、自動運転・停止する自動制御の換気ファンを附設機能とし、混用して通気及び通気制御を行う、ハイブリッド通気及び通気制御を特徴としたもので、
又、当該換気ファンを自動制御する制御装置が、太陽光発電を供給する装置の太陽電池パネルＥ０を設置し、ソーラーエネルギーを主として自動運転・停止を自動制御するコントローラＣＲ、温度スイッチＴＳ、湿度スイッチＨＳ及び連動運転と夜・雨天時の家庭用電源の自動切換のリレーユニットＲＵから構成され、屋根裏ゾーンＺ１の棟部常時通気専用経路Ｚ１２に附設される換気ファンＫ１の制御装置ＹＣ、及び小屋裏ゾーンＺ２専用の換気ファンＫ２の制御装置ＫＣとして附設されるものであり、
当該屋根裏ゾーンＺ１に位置し、屋根裏ゾーンＺ１及び小屋裏ゾーンＺ２の専用ゾーン別通気及び通気制御を行うにあたり、ハイブリッド通気及び通気制御機能ＫＣ−４として構成される特徴が、
当該屋根裏ゾーンＺ１の常時開口の自然開放通気機器と、小屋裏ゾーンＺ２の通気及び通気制御を行う屋根裏ゾーンＺ１の棟部常時通気専用経路Ｚ１２に附設される同通気専用経路Ｚ１２と小屋裏ゾーンＺ２の通気媒介の自動開閉式の自然通気制御機器を屋根裏ゾーンＺ１の基本常設機能とし、さらに補助としてソーラーエネルギーを主とし、設定温度、設定湿度を感知し、自動運転・停止する自動制御の換気ファンＫ１を同通気専用経路Ｚ１２内のいずれか一方に附設し、且つ、同換気ファンＫ１のパイプダクトＰ１を分岐し、一方は同通気専用経路Ｚ１２内の中央に、一方は貫通挿入し小屋裏ゾーンＺ２内へ装着し、同ゾーンＺ２と屋根裏ゾーンＺ１を同時に通気、換気するものであり、両ゾーンの通気及び通気制御を自然と強制の両機能を混用し行うゾーン別ハイブリッド通気及び通気制御機能ＫＣ−４であって、両ゾーン共用の通気及び通気制御機能であり、
当該屋根裏ゾーンＺ１の棟部常時通気専用経路Ｚ１２の両側の通気専用棟ＷＴの妻壁に常設する常時開口の自然開放通気機器の換気ガラリＲＶと棟の換気口Ｍは、連携する通気排出機能で、同通気専用経路Ｚ１２内の常時直接外気Ｇの進入、通気、排出を促し、さらに軒天換気口Ｎｇ又は外壁通気層Ｖ２より進入する外気Ｇ及び上昇気流ｇ０が屋根通気路Ｖ１１を合流して経過し、同通気専用経路Ｚ１２内に進入した合流の上昇気流ｇ１の通気、排出を促すものであって、
又、小屋裏ゾーンＺ２と気密断熱区画された同通気専用経路Ｚ１２の最高の高さｈ２とした部分に、同小屋裏ゾーンＺ２と同通気専用経路Ｚ１２との通気媒介とする自動開閉式で温度差利用の熱感知式形状記憶合金使用の自然通気制御機器の換気ガラリＴ１もしくは、自動開閉式の開閉専用電気式シャッターＫ４のいずれかを最低一台附設するものとし、同機能を屋根裏ゾーンＺ１の基本常設機能に附設構成とするものであり、一定の温度以上の場合開口し、小屋裏ゾーンＺ２と連通する床下ゾーンＺ３に進入した外気Ｇ、あるいは取り込み通気として附設構成された内壁通気構造体ＷＺの下部の自動開閉式の自然通気制御機器Ｔ１に直接進入した外気Ｇが上昇気流ｇ２として連通の内壁通気構造体ＷＺの通気路Ｖ３３を経過し、同ゾーンＺ２に進入経過し、開口状態の自動開閉式の通気制御機器を媒介し、連通状態となった同通気専用経路Ｚ１２に進入し、常設機能の換気ガラリＲＶ又は棟換気口Ｍの連携により通気・排出され、又一定温度以下で閉鎖し、同通気専用経路Ｚ１２の気流及び進入外気Ｇの同小屋裏ゾーンＺ２内への進入を自動通気制御するものであり、又、さらに、補助としてソーラーエネルギーを主とし、附設する同通気専用経路Ｚ１２内への自動制御の換気ファンＫ１のパイプダクトＰ１を分岐し、一方は同通気専用経路Ｚ１２の中央に、一方は貫通挿入し、小屋裏ゾーンＺ２内へ装着し両ゾーンの設定温度、設定湿度を温度センサーＴＣ、湿度センサーＨＣが感知し、自動運転し、通気排出され、又、設定以下で停止するもので、両ゾーンの通気及び通気制御を自然と強制の両機能を混用し専用ゾーン別通気及び通気制御を行うゾーン別ハイブリッド通気及び通気制御機能ＫＣ−４であり、
又、当該屋根裏ゾーンＺ１に位置し、屋根裏ゾーンＺ１及び小屋裏ゾーンＺ２の専用ゾーン別通気及び通気制御を行うハイブリッド通気及び通気制御機能ＫＣ−５とした場合の特徴として、上記ハイブリッド通気及び通気制御機能ＫＣ−４の機能をそのままに、さらに、屋根裏ゾーンＺ１へ小屋裏ゾーンＺ２専用の通気制御機能として附設する自動制御の換気ファンＫ１と同型式の小屋裏ゾーンＺ２内の設定温度、設定湿度を感知し、自動運転・停止の自動制御の換気ファンＫ２を換気ファンＫ１の附設位置と反対側へ附設し、常時通気専用経路Ｚ１２の底面を貫通挿入し同ゾーンＺ２専用のパイプダクトＰ２を装着し、同ゾーンＺ２に分岐配管し吸引する換気ファンＫ１と換気ファンＫ２による自動制御の強制機能と自然機能の両機能を混用し共用して通気を促進し、又、通気制御を行うことを特徴とするハイブリッド通気及び通気制御機能ＫＣ−５であって、上記ハイブリッド通気及び通気制御機能ＫＣ−４同様、屋根裏ゾーンＺ１と小屋裏ゾーンＺ２共用の通気及び通気制御機能を特徴とするものであり、常時開放通気の専用ゾーンとする屋根裏ゾーンＺ１、通気及び通気制御の専用ゾーンとする小屋裏ゾーンＺ２として、屋根の形状が四方傾斜状態の場合の専用ゾーン別通気及び通気制御にあたり、屋根裏ゾーンＺ１に位置する通気及び通気制御の両機能が小屋裏ゾーンＺ２の通気及び通気制御を媒介し、又、同機能が両ゾーンに共用する常時開口の自然開放通気機器と自動開閉式の自然通気制御機器を基本常設機能とした自然気流対象機能と、ソーラーエネルギーを主とし、自動制御装置を用いた自動制御の換気ファンの両機能を混用する屋根裏ゾーンＺ１と小屋裏ゾーンＺ２の共用するハイブリッド通気及び通気制御機能ＫＣ−４又はハイブリッド通気及び通気制御機能ＫＣ−５であり、
屋根裏ゾーンＺ１及び小屋裏ゾーンＺ２の通気及び通気制御が、ハイブリッド通気及び通気制御機能ＫＣ−４又は同機能ＫＣ−５として屋根裏ゾーンＺ１に附設構成され行われることを特徴とする、前記請求項１、請求項２記載の屋根の形状が四方傾斜状態の場合の断熱通気構造体１の専用ゾーン別ハイブリッド通気及び通気制御の方法。
【発明の詳細な説明】
【技術分野】
【０００１】
本発明は木造住宅建築物における、温暖地域又は寒冷地域を問わず、特に内と外の温度差の著しい夏、冬期間を主に、構造体の主要構造用途部分である屋根、小屋裏及び壁体内さらに床下の断熱施工に関し、温度差より生ずる構造体内結露の発生の防止、又は結露の解消をもとに、構造体内環境を満足すべく構造体として、又、快適な室内環境とさらに省エネルギーをもとに最も効果的な通気及び通気制御を容易とする構造形態、通気形態から構造される断熱通気構造体とする場合の、常時開放通気を要する通気構造の主要構造用途部分と、通気及び通気制御を要する通気構造の主要構造用途部分の連携から構成される断熱通気構造体とし、又、同主要構造用途部分の通気及び通気制御に用いる自然気流を主に対象とした自然開放通気機器及び自動開閉式の自然通気制御機器と、さらに、補助としてソーラーエネルギーを主とした自然制御の換気ファンを混用し、容易に効率よく確実な通気及び通気制御が行える様、さらに省エネルギーで、室内環境と構造体の長期耐久性を大幅に向上させることのできる断熱通気構造体、又、同構造体を主に応用する多様化の断熱通気構造体と同構造体の専用ゾーン別ハイブリッド通気及び通気制御の方法に関するものである。
【背景技術】
【０００２】
木造住宅の構造体の断熱施工において、より快適な室内環境とさらに省エネルギーを追求する傾向から、内と外との温度差の解消として、構造体の屋根面、壁体内を密閉する断熱施工の高気密高断熱施工とする保温性の高い住空間を求める反面、同構造体の木材の調湿作用、調湿能力を生かせず、又、窒息気密によって引き起こされる多湿蒸れより生ずる木材の腐れ等、構造体の劣化を招く構造体内環境に及ぼす弊害と、又、夏の屋根の表面温度は外気温度より高く、屋根面及び壁体内の断熱材が高温の蓄熱材となり易く、逆に不快感を与え、よりエネルギーを消費してしまう等、夏の温度差の解消は断熱材だけでは解決できず、室内環境に及ぼす弊害を招く原因にもなっていて、又、さらに通気性のない構造体の密閉構造からの原因とするシックハウス現象も引き起こさざるを得ないのである。
【０００３】
こうした問題を解決するために、従来、構造体内環境、室内環境に最も影響する壁体内と、又、天井断熱より有効で効果のある、夏の直射日光を受ける屋根部分を通気層のある断熱通気の構造とした上で、建物内部の通気の経路として、夏の進入する外気が、床下、壁体内及び小屋裏を通じ、屋根の棟へ抜け、又、同時に建物外部の軒天換気口よりの外気の進入又は外装材の通気構法による外壁下方からの外気の進入と軒天換気口よりの外気の進入が合流し、屋根の通気層を経過し、屋根の棟換気口より抜ける通気形態とする断熱通気の工法で、壁体内木材の調湿能力を生かし、床下より進入する外気が、夏の床下の冷気を伴う気流として上昇し、壁体内の通気層を経過し同時に壁体内と小屋裏に溜まった熱気、湿気を屋根の棟換気口より自然の力で排出するもので、従来、この断熱通気工法の構造体として、又、同時に冬期間を意識して構造体の通気制御を主とし、自然気流対象とした通気制御の自然通気制御機器で、上下一定の温度を定め、温度差利用の熱感知式形状記憶合金使用の自動開閉式換気口の床下換気口、軒天換気口及び棟換気口を全て通気制御装置として用い、建物の内部、外部の通気路の通気制御とする方式と、同通気制御装置を一部分のみ使用し、通気制御する方式があり、前者の方式は夏、冬を通し小屋裏と屋根通気層を常時連絡通気の一定の開口で開放状態のままとし、夏の通気効果を優先したもので、その開口部より夏の壁体内及び小屋裏に溜まった熱気、臭気を伴う気流を通し又、外気温が一定以上となり開放された軒天換気口からのみ取りいれる、外気進入、又は同軒天換気口及び外壁通気層より進入する合流気流が屋根通気層を経過し、開放状態で兼用の棟換気口より同時に排出されるものとし、又、冬は外気温が一定の温度以下となった状態で全ての換気口が閉鎖し、構造体を無通気とし、建物を保温状態とする断熱通気の構造とした工法の方式としている。
【０００４】
又一方、後者の床下換気口のみを上記の自動開閉式の自然通気制御機器の床下換気口を用い、軒天換気口及び棟換気口を常時通気の自然開放通気機器を用いて、建物の外部、内部の通気経路の通気及び通気制御として、建物の内部を小屋裏と屋根通気層の連絡通気にダンパー式通気制御装置あるいは手動、電動の開閉装置を用い通気制御するもので、夏の通気効果と冬の小屋裏の通気制御を目的とし、夏の壁体内や小屋裏に溜まった熱気、湿気を伴う気流が、開放された同装置を経過し、夏、冬期間共常時開口の軒天換気口及び棟換気口の通気形態の屋根通気層を経過する気流と合流して棟換気口より排出し、冬は軒天及び棟の換気口による屋根通気部分は常時開放通気の状態とし、内部の通気経路は、外気が一定の温度以下となった状態で、床下換気口及び小屋裏と屋根通気層を連絡するダンパー式通気制御装置又は、手動、電動の開閉装置が閉鎖され建物内部保温状態とする断熱通気の構造とした工法の方式とがあった。
【０００５】
前者、後者共、夏の直射日光を浴びた屋根の屋根通気層内の熱気の排出と、建物内部の壁体内及び小屋裏に溜まった熱気、湿気を小屋裏の棟部に導き、容易に効率よく排出することを目的に、又、夏、冬期間の小屋裏の通気及び通気制御を有利に行うことを目的に、棟換気口あるいは棟換気機器類のみの集中した排出とする、夏、冬期間を通し、通気及び通気制御を行い、快適で省エネルギーの画期的な断熱通気の構造と通気制御の工法であるとされていた。
【０００６】
ところが通気を要する構造体の全壁体内の通気層の占用容積及び屋根通気層の占用容積と小屋裏内部の占用面積に対して、通気及び通気制御を行う上での容易で施工効率が良いとされる棟換気口のみとする場合の、通気及び排出能力が、使用する棟換気口の性能上、同時に雨仕舞が考慮される為、排出部分が非常に細く、小さく、一箇所当たりの適応能力に限界があり、見合う通気又は、排出量が満足されているか、間に合わず停滞域として残る状態への懸念と、又さらに、建物の形状により設置可能とする数量も制限される場合もあり、１階部分から２階部分のすみずみまでの壁体内又は他の構造体内を確認できず、各構造体内環境として熱気対策又は湿気対策上、果たして解決されているか疑問もあり、指摘されていた。
【０００７】
又、夏時期において外気温が高く、無風の状態、あるいは外気温が比較的高く、外部湿度が多湿で、無風状態の梅雨時、又は密集地における立地条件下の場合等、前者、後者共、用いる通気制御の自然通気制御機器はいずれも外気温に対する熱感知式によるもので、構造体内湿度状況に対する効果を得るものではなく、又、外気の気流の進入及び排出と上昇気流の促進が、いずれも自然気流による自然の力の影響が大きく、又、自然気流の状態によるところが多く、屋根及び壁体内を含む構造体内の通気層の熱気、湿気を伴う蒸れた状態の空気が、常時上昇気流となるとも限らず、停滞状態の場合もあり、
又、夏、冬期間共、常時棟換気口を開口し、屋根の通気が行われているとする後者の場合で、冬期間に降雪が少ない温暖地、降雪量の少ない地方、又は、広い敷地を有し、屋根雪の排雪が常時容易に行われる場合を除き、降雪により常時屋根に積雪があり、棟換気口が閉ざされた状態となり易い多雪地域においては、屋根通気層内に溜まる空気が蒸れの状態を引き起こしやすく、さらに冬期間であっても天気が良く外気温が上昇し、外壁が温められ、軒天換気口よりの外気の進入による棟部停滞気流で密封状態の屋根通気層あるいは、外壁通気層よりの屋根通気層内への気流の一部進入等、屋根通気層内で温度差を生じて結露の発生の原因ともなりかねない。
【０００８】
更に又、前者の冬期間の一定温度以下の状況下において、自動開閉式の自然通気制御機器にて全換気口が閉鎖し建物無通気とし、夏、冬期間を通じて屋根通気層と小屋裏が常時連通する一定の開口部を設けた構造の場合の、屋根に積雪がある場合で、室内の熱機器の使用等、暖房の度合いが千差万別であり、室内の温度の程度により、温められる小屋裏と屋根の通気層内の温度差による屋根裏面及び棟部に溜まる空気の蒸れ等による結露の発生の原因を招きやすく、前者、後者共、共通して冬期間屋根に積雪がある場合は逆に、屋根部分を通気層を伴う通気構造とすることが大きな弊害を招く結果になる等、冬期間の小屋裏の保温状態を追求する結果の弊害であって、夏、冬期間を通じて未だに解決策がとれていない事も現状である。
【発明の開示】
【発明が解決しようとする課題】
【０００９】
本発明は、従来の木造住宅の断熱通気の構造体に上記の如き問題があったことに鑑みて為されたもので、常時木材の調湿作用を生かし、建物の形状、規模に係わることのない、構造体内環境を満足し、常時通気性、断熱性、保温性さらに湿度対策及び施工性にも優れ、又効果的な通気制御を容易とする通気形態、構造形態から成る断熱通気構造体とすべく、又、夏、冬期間を通していずれにも共通する断熱通気構造体として、構造体を構造用途区画別の、所謂る専用ゾーン別に常時通気を要する専用ゾーンと、通気制御を要する専用ゾーンに分別し、且つ、専用ゾーン別通気構造から構成される断熱通気構造体とした上で、自然気流を対象とした常時開口の自然開放通気機器又、通気制御の自動開閉式の自然通気制御機器を専用ゾーン別に基本常設機能として附設し、さらに、ソーラーエネルギーを主とした設定温度、設定湿度を感知して自動運転・停止する自動制御の換気ファンを補助促進機能として基本常設機能に附設し混用するハイブリッド通気及び通気制御の断熱通気構造体とし、自然気流の状態に左右されることなく、省エネルギーで室内環境と構造体の長期耐久性を大幅に向上させることのできる専用ゾーン別通気構造から構成され、且つ、専用ゾーン別ハイブリッド通気及び通気制御を行う断熱通気構造体の木造住宅、更には、同構造体系を主に応用する多様化の断熱通気構造体の木造住宅を提供することを技術的課題とするものである。
【課題を解決するための手段】
【００１０】
本発明は上記技術的課題を解決するために、構造体を構造用途別の常時開放通気の専用ゾーンと通気及び通気制御の専用ゾーンとして分別し、通気及び通気制御を行う上で、常時開放通気の専用ゾーンに常時開口の自然開放通気機器、通気及び通気制御の専用ゾーンに温度差利用の形状記憶合金使用とする自動開閉式の自然通気制御機器を専用ゾーン別基本常設機能として附設し、常時開放通気の専用ゾーンと通気及び通気制御の専用ゾーンを気密断熱区画し、且つ専用ゾーン別通気構造から構成される断熱通気構造体１であって、
当該断熱通気構造体１が常時開放通気の独立した専用ゾーンの屋根断熱通気構造ＹＤで一体形状の棟部常時通気専用経路Ｚ１１を形成する屋根裏ゾーンＺ１と、通気及び通気制御の専用ゾーンとする小屋裏断熱通気構造ＫＤ又は小屋裏通気構造ＫＤ１の小屋裏ゾーンＺ２及び床下断熱通気構造ＵＤの床下ゾーンＺ３の専用ゾーン別通気構造から構成され又、通気及び通気制御の専用ゾーンの小屋裏ゾーンＺ２と床下ゾーンＺ３の連通による連携で通気及び通気制御を行うとし又、当該小屋裏ゾーンＺ２と床下ゾーンＺ３の連絡通気を形成する上で、さらに、内壁断熱通気構造ＷＤの内壁通気構造体ＷＺから構成されることを特徴とするものであり、
当該小屋裏ゾーンＺ２及び床下ゾーンＺ３が連結状態の外壁に面する内壁が全周一連の内壁断熱通気構造ＷＤの内壁通気構造体ＷＺを介し、常時連通され、連携して通気及び通気制御を行うものであって又、上記断熱通気構造体１の特徴とする常時開放通気の専用ゾーンの屋根裏ゾーンＺ１の通気構造形状が屋根下葺材Ｎと小屋裏とを一定の厚さの板状の断熱フォームＡを用い気密断熱区画し、屋根通気層Ｖ１を形成する屋根断熱通気構造ＹＤと棟部常時通気専用経路Ｚ１１が一体形状で形成され、軒天に軒天換気口Ｎｇ、棟部常時通気専用経路Ｚ１１に棟部妻面換気ガラリＲＶ及び棟換気口Ｍの常時開口の自然開放通気機器が基本常設機能として附設構成されることを特徴とする屋根裏ゾーンＺ１であり、
又、屋根断熱通気構造ＹＤと一体形状で形成される棟部常時通気専用経路Ｚ１１とする特徴が、屋根棟中心に位置し、棟を頂点とし、底面が平面状の一定の幅 e１で左右ｈ１の高さのコ型の形状とした三方を一定の厚さの板状の断熱フォームＡを用い下地構成し、棟を含む内部空洞の通気層とする箱状で、さらに両端を小屋裏の両側の妻壁と一体形成とした一連の左右ｈ１の高さで小屋裏ゾーンＺ２と気密断熱区画され、屋根断熱通気構造ＹＤと一体形状の左右連通で形成される場合と、又はその形状が棟を頂点とし、棟を含む内部空洞で平面状の底面の一面で屋根断熱通気構造ＹＤと左右一体形状とし、左右連通で形成され、底面より棟までの高さを両側の棟部妻面換気ガラリＲＶが取り付け可能な高さとし、底面を一定の厚さの板状の断熱フォームＡを用い下地構成し、内部空洞の通気層とし、両端を小屋裏の両側の妻壁と一体形成とした一連の形状で小屋裏ゾーンＺ２と気密断熱区画し形成される場合の、いずれも屋根裏ゾーンＺ１の常時通気専用経路Ｚ１１の特徴とするもので、同棟部常時通気専用経路Ｚ１１に附設構成された基本常設機能の両側の妻面壁の妻面換気ガラリＲＶ及び、棟換気口Ｍの通気による常時直接外気Ｇの進入・通気・排出を促す棟部常時通気専用経路Ｚ１１であり、
さらに、当該棟部常時通気専用経路Ｚ１１と屋根断熱通気構造ＹＤの一体形成である屋根裏ゾーンＺ１の通気形態が、常時開口の軒天換気口Ｎｇ又は外壁通気層Ｖ２より進入する外気Ｇ又は気流ｇ０が屋根断熱通気構造ＹＤの屋根通気層Ｖ１の通気路Ｖ１１を経過し、同棟部常時通気専用経路Ｚ１１内に進入し、同棟部妻面換気ガラリＲＶと棟換気口Ｍの連携により常時通気・排出される常時開放通気の独立した通気専用ゾーンであることを特徴とし、
又、小屋裏ゾーンＺ２は、屋根断熱通気構造ＹＤの、小屋裏面の一定の厚さの板状の断熱フォームＡと一定の厚さの板状の断熱フォームＣを密接した室内天井又は天井Ｃ０で区画され、小屋裏断熱通気構造ＫＤ又は小屋裏通気構造ＫＤ１で、同ゾーンＺ２を通気層とし、又、当該小屋裏ゾーンＺ２と連結状態の外壁に面する内壁に一定の厚さの板状の断熱フォームＢを施した内壁通気構造体ＷＺの内壁断熱通気構造ＷＤの内壁通気層Ｖ３と常時連通の状態であり、同ゾーンＺ２の小屋裏の両側妻壁に通気及び通気制御の自動開閉式の自然通気制御機器で、上下一定の温度を定め開閉する温度差利用の熱感知式形状記憶合金使用の換気ガラリＴ１が通気及び通気制御の基本常設機能として構成されていることを特徴とする、小屋裏の通気及び通気制御をする小屋裏断熱通気構造ＫＤ又は小屋裏通気構造ＫＤ１の小屋裏ゾーンＺ２であり又、
床下ゾーンＺ３は、床下地断熱施工の一定の厚さの板状の床断熱フォームＤと、一体土間的仕様で防湿施工のベタ基礎ベースＦ及び、一定の厚さの板状の断熱フォームＤ´で内側断熱施工された立ち上り断熱布基礎Ｆ１にて断熱区画され、同ゾーンＺ３を通気層とする床下断熱通気構造ＵＤであって、
又、小屋裏ゾーンＺ２と連結し、一連の通気層として形成される、外壁に面する内壁通気構造体ＷＺの内壁断熱通気構造ＷＤの内壁通気層Ｖ３と常時連通の連結状態であり、同立ち上り断熱布基礎Ｆ１に通気及び通気制御の自動開閉式の自然通気制御機器で、小屋裏ゾーンＺ２と同型式の温度差利用の熱感知式形状記憶合金使用の床下換気口Ｔ１が、通気及び通気制御の基本常設機能として構成されていることを特徴とし、床下の通気及び通気制御をする床下断熱通気構造ＵＤの床下ゾーンＺ３で、
連通状態の小屋裏ゾーンＺ２との通気形態は、外気温が一定温度以上の場合同時開口し、両ゾーン内の直接外気Ｇの進入と通気排出を促し、又床下ゾーンＺ３に進入し、上昇する気流が連通する内壁通気層Ｖ３の通気路Ｖ３３を経過し、小屋裏ゾーンＺ２内に進入し、同ゾーンＺ２内の気流と合流した気流が、両側妻壁に附設された自動開閉式の換気ガラリＴ１により通気排出され又、一定の温度以下で同時閉鎖され、外気の進入を自動通気制御し、連携して通気及び通気制御を行う小屋裏ゾーンＺ２と床下ゾーンＺ３であり、
常時開放通気の専用ゾーンとする断熱通気構造の屋根裏ゾーンＺ１、通気及び通気制御の専用ゾーンとする断熱通気構造又は通気構造の小屋裏ゾーンＺ２及び断熱通気構造の床下ゾーンＺ３の専用ゾーン別通気構造から構成され、常時開放通気の専用ゾーンに棟部常時通気専用経路Ｚ１１を附設構成し、常時開口の自然開放通気機器を附設し又、通気及び通気制御の専用ゾーンに自動開閉式の自然通気制御機器を附設し専用ゾーン別基本常設機能として用い、専用ゾーン別通気及び通気制御を行うという技術的手段を採用した。
【００１１】
また本発明は上記技術的課題を解決するために、前記常時開放通気の専用ゾーンとする屋根断熱通気構造ＹＤの屋根裏ゾーンＺ１、通気及び通気制御の専用ゾーンとする小屋裏断熱通気構造ＫＤ又は通気構造ＫＤ１の小屋裏ゾーンＺ２及び床下断熱通気構造ＵＤの床下ゾーンＺ３の専用ゾーン別通気構造から構成される断熱通気構造体１であって、通気及び通気制御の専用ゾーンの床下ゾーンＺ３と小屋裏ゾーンＺ２の連通による連携の通気及び通気制御を行い、さらに床下ゾーンＺ３と小屋裏ゾーンＺ２の連絡通気を形成する上で、連結され連通状態の断熱通気構造の内壁通気構造体ＷＺから構成されていることを特徴とする断熱通気構造体１の、
床下ゾーンＺ３の床下を防湿施工の土間コンクリート仕様で、周囲立ち上りを板状の断熱フォームＤ´で内側断熱された断熱布基礎Ｆ１とし床下地に断熱施工をせず、床下の通気・換気をなくし、床下熱源媒介の床暖房施工とする場合の床下密閉構造の床下密閉ゾーンＺ４とした断熱通気構造体１´であり、
当該断熱通気構造体１´とする専用ゾーン別構成が、上記の屋根裏ゾーンＺ１、小屋裏ゾーンＺ２及び床下密閉ゾーンＺ４の構成と、さらに、小屋裏ゾーンＺ２と連結され、連通状態の内壁断熱通気構造ＷＤの内壁通気構造体ＷＺから構成されることを特徴とし又、外壁に面する外周一連の断熱通気構造ＷＤで通気層Ｖ３を形成する内壁通気構造体ＷＺと小屋裏ゾーンＺ２の連通による連携の通気及び通気制御を行う通気形態として、
周囲外壁Уの下部に一定の数量を定め、同外壁Уの通気層Ｖ２を貫通し、当該外壁に面して全周一連の連通状態の内壁通気構造体ＷＺの内壁断熱通気構造ＷＤの下部通気層Ｖ３への取り込みとする、上下一定の温度を定め開閉する、小屋裏ゾーンＺ２の自動開閉式の自然通気制御機器と同型式の温度差利用の熱感知式形状記憶合金使用の換気ガラリＴ１を附設し、取り込み通気と通気制御の基本常設機能とし、連結状態で連通する小屋裏ゾーンＺ２と連携の通気及び通気制御を行うもので、
外気温が一定温度以上の場合に、小屋裏ゾーンＺ２の両側の妻壁の基本常設機能の自動開閉式換気ガラリＴ１と同時に開口し、附設され取り込み通気とした同型式の換気ガラリＴ１に進入する外気Ｇが、上記通気層Ｖ３の通気路Ｖ３３を同通気層内の熱気又は湿気を伴う上昇気流ｇ２として経過し、小屋裏ゾーンＺ２内に進入し、さらに同ゾーンＺ２内の熱気あるいは淀んだ空気を伴い、又は同ゾーンＺ２内に直接進入する外気Ｇとの合流の気流ｇ３として同ゾーンＺ２の両妻壁の同換気ガラリＴ１により通気・排出され、又、外気温が一定温度以下の場合は同時に閉鎖し、外気の進入を自動通気制御するものであり、
前記断熱通気構造体１の床下断熱通気構造ＵＤの床下ゾーンＺ３を床下密閉ゾーンＺ４とし、通気及び通気制御の専用ゾーンの小屋裏ゾーンＺ２と連携して通気及び通気制御を行うべく、同ゾーンＺ２と連結し連通する内壁通気構造体ＷＺの下部に、自動開閉式の自然通気制御機器Ｔ１を取り込み通気として附設構成し、前記断熱通気構造体１と組み合わせ構成されるという技術的手段を採用した。
【００１２】
さらに、また本発明は上記技術的課題を解決するために、当該屋根の形状が四方傾斜状態の場合の屋根裏ゾーンＺ１で、四方傾斜状態の屋根断熱通気構造ＹＤと四方一体形状で構成される場合の前記断熱通気構造体１の屋根裏ゾーンＺ１の棟部常時通気専用経路Ｚ１１に、通気専用棟ＷＴが附設構成され、棟部常時通気専用経路Ｚ１２として組み合わせ構成されることを特徴とする屋根裏ゾーンＺ１で、又、前記小屋裏ゾーンＺ２の通気及び通気制御の基本常設機能が棟部常時通気専用経路Ｚ１２に附設構成され、同小屋裏ゾーンＺ２の通気及び通気制御の媒介ゾーンとして構成されることを特徴とする屋根裏ゾーンＺ１であって、
屋根の長辺方向又は短辺方向の傾斜面に、屋根棟及び妻壁が構成される通気専用棟ＷＴを、棟を中心とし、両側に平行して構築し、屋根裏ゾーンＺ１として屋根断熱通気構造ＹＤと一体形状で構成される棟部常時通気専用経路であり、当該専用経路の底面が平面状の一定の幅 e２で最高の高さｈ２の、四方を連通する屋根通気層Ｖ１を形成する屋根断熱通気構造ＹＤと一体形状で形成され又、両端部が両側の通気専用棟ＷＴの妻壁と一体形成とした一連の形状で、長さＬとし、棟を含む内部空洞の通気層とし、周囲が一定の厚さの板状の断熱フォームＡで小屋裏ゾーンＺ２と気密断熱区画された一体箱状の棟部常時通気専用経路Ｚ１２として構成され、当該四方傾斜状態の屋根断熱通気構造ＹＤと一体形状で構成されることを特徴とする屋根裏ゾーンＺ１であって、
軒天及び同通気専用経路Ｚ１２に、軒天換気口Ｎｇ、妻面換気ガラリＲＶ及び棟換気口Ｍの常時開口の自然開放通気機器が基本常設機能として附設構成され、同軒天換気口Ｎｇ及び外壁通気層Ｖ２より進入する外気Ｇ又は上昇気流ｇ０が屋根通気層Ｖ１の通気路Ｖ１１を経過し、同通気専用経路Ｚ１２の換気ガラリＲＶ及び棟換気口Ｍの連携により通気・排出されるものであり、
又、小屋裏ゾーンＺ２の通気・排出及び通気制御が、同通気専用経路Ｚ１２を媒介しておこなわれるもので、同通気専用経路Ｚ１２の左右の最高の高さｈ２で周囲気密断熱区画された立上り壁部分に、小屋裏ゾーンＺ２の通気媒介とする上下一定の温度を定め開閉する温度差利用の熱感知式形状記憶合金使用の自動開閉式の換気ガラリＴ１、あるいはソーラーエネルギーを主とした設定温度、設定湿度を感知し自動開閉する開閉専用の電気式シャッターＫ４のいずれかの自動開閉式の自然通気制御機器を最低一台附設とし、小屋裏ゾーンＺ２の通気及び通気制御の媒介機能とし、屋根裏ゾーンＺ１の基本常設機能として附設構成されることを特徴とするもので、
その通気形態は、床下ゾーンＺ３に進入した気流が上昇気流として連通する内壁通気構造体ＷＺの通気層Ｖ３の通気路Ｖ３３を経過し、小屋裏ゾーンＺ２内に進入し、上記のいずれかの附設される自動開閉式の自然通気制御機器が一定温度以上で開口し、連通状態となった同通気専用経路Ｚ１２内に進入し、常設の常時開口の自然開放通気機器の換気ガラリＲＶ及び棟換気口Ｍにより通気・排出され又、外気温及び同ゾーンＺ２さらに同通気専用経路Ｚ１２内の温度が一定以下の場合、床下換気口と同時閉鎖し気流の侵入を自動制御するもので、小屋裏ゾーンＺ２の通気及び通気制御が屋根裏ゾーンＺ１を媒介し行われることを特徴とし、
さらに、小屋裏ゾーンＺ２の通気及び通気制御を媒介して行う上で、自動開閉式の換気ガラリＴ１あるいは開閉専用の電気式シャッターＫ４を媒介の機能として、通気専用棟ＷＴと直角方向の同通気専用経路Ｚ１２の立ち上り区画壁面に附設する特徴が、底部開閉式ダンパー設置による底部のほこり溜りを因とした開閉の支障をなくすべく解決策とするものであり、又、小屋裏ゾーンＺ２の占用面積あるいは同構造体規模に応じた通気効果を得る場合、同常時通気専用経路Ｚ１２の最高の高さｈ２として形成される立ち上り区画壁の両側を取り付け面とし、一定多数の自動開閉式の自然通気制御機器を附設することができることを特徴とし、前記屋根裏ゾーンＺ１の屋根の形状が四方傾斜状態となる場合の屋根断熱通気構造ＹＤの同屋根裏ゾーンＺ１に通気専用棟ＷＴを附設構成し、前記棟部常時通気専用経路Ｚ１１が四方傾斜状態の屋根断熱通気構造ＹＤと四方連通の一体形状の棟部常時通気専用経路Ｚ１２として附設構成されるという技術的手段を採用した。
【００１３】
更にまた本発明は上記技術的課題を解決するために、前記断熱通気構造体１の専用ゾーン別通気構造で常時開放通気の専用ゾーンとする屋根裏ゾーンＺ１を構成するにあたり、
当該屋根裏ゾーンＺ１として構成される屋根断熱通気構造ＹＤが、異なる屋根の通気形態と異なる屋根の通気構造形態の組み合わせ選択施工で構成されることを特徴とするもので、施工する外壁Уの通気構法による施工別屋根通気形態と、屋根の断熱通気の施工別屋根通気構造形態の組み合わせにより構成される屋根断熱通気構造ＹＤであり、
当該屋根断熱通気構造ＹＤの常時開口の自然開放通気機器の軒天換気口Ｎｇからの外気Ｇの進入による軒天通気、及び外壁Уの通気構法別の外壁通気路Ｖ２２を経過する進入した外気の通気形態の如何による屋根通気形態と、屋根下葺材Ｎと小屋裏を屋根断熱フォームＡで気密断熱区画し、屋根通気層Ｖ１を形成すべく屋根断熱施工別の屋根通気構造形態で、
当該屋根の通気形態をＡ１とする場合の、外壁Уの施工を軒天通過型の通気構法ｋ１とし、軒天通気、外壁通気を共に伴う場合、又、屋根の通気形態をＡ２とする場合の、外壁ｙの施工を軒天不通過型の通気構法ｋ２とし、外壁ｙの上方を開放通気の状態とし、外壁通気を伴わない軒天通気のみの場合等、屋根の通気形態がＡ１又はＡ２から成る屋根断熱通気構造ＹＤと、
又、当該屋根の通気構造形態をＢ１とする場合の屋根の気密断熱施工で、一定の厚さの板状の屋根断熱フォームＡを垂木下の母屋間気密断熱施工とし、垂木間を通気層として屋根下葺材Ｎと屋根通気層Ｖ１を形成する場合であり、又、屋根の通気構造形態をＢ２とする場合の屋根の気密断熱施工で、一定の厚さの板状の屋根断熱フォームＡを垂木間または垂木間と垂木上にも密接施工する場合の、いずれかかの通気下地を伴う気密断熱施工とし、屋根下葺材Ｎと屋根通気層Ｖ１を形成する場合で、屋根の通気構造形態がＢ１又はＢ２から成る屋根断熱通気構造ＹＤの屋根裏ゾーンＺ１であって、
当該屋根裏ゾーンＺ１が屋根の通気形態Ａ１又はＡ２と、屋根の通気構造形態Ｂ１又はＢ２の組み合わせ選択施工として構成されるという技術的手段を採用した。
【００１４】
更にまた本発明は上記技術的課題を解決するために、常時開放通気の専用ゾーンの屋根裏ゾーンＺ１と通気及び通気制御の専用ゾーンの小屋裏ゾーンＺ２及び床下ゾーンＺ３の、又、両ゾーンの連通による連携の通気及び通気制御とする断熱通気構造体１の専用ゾーン別ハイブリッド通気及び通気制御を行うにあたり、
当該通気及び通気制御に用いる屋根裏ゾーンＺ１の常時開口の自然開放通気機器と小屋裏ゾーンＺ２及び床下ゾーンＺ３の自動開閉式の自然通気制御機器の専用ゾーン別基本常設機能に、補助として、ソーラーエネルギーを主とする設定温度、設定湿度を感知して自動運転・停止する自動制御の換気ファンを附設機能とし、又、同換気ファンを自動制御する太陽光発電を供給する装置の太陽電池パネルＥ０を設置し、ソーラーエネルギーを主として自動運転・停止を制御するコントローラＣＲ、温度スイッチＴＳ、湿度スイッチＨＳ及び連動運転と夜・雨天時の家庭用電源の自動切換えのリレーユニットＲＵから構成される制御装置を専用ゾーン別とし、屋根裏ゾーンＺ１に附設される換気ファンＫ１と制御装置ＹＣ、小屋裏ゾーンＺ２及び間近に連結される内壁通気構造体ＷＺの上部に附設される換気ファンＫ２と同一制御装置ＫＣ、さらに、床下ゾーンＺ３に附設される床下専用換気ファンＫ３と制御装置ＵＣとして附設し、専用ゾーン別ハイブリッド通気制御機能として構成し、混用して通気及び通気制御を行うことを特徴とする断熱通気構造体１の専用ゾーン別ハイブリッド通気及び通気制御の方法であり、
当該屋根裏ゾーンＺ１のハイブリッド通気機能ＫＣ−１とし、軒天換気口Ｎｇ、妻面換気ガラリＲＶ及び棟換気口Ｍの基本常設機能に自動制御の換気ファンＫ１を附設構成し混用する通気促進機能であって、屋根裏ゾーンＺ１の棟部常時通気専用経路Ｚ１１の両側の妻面壁に妻面換気ガラリＲＶ及び棟に棟換気口Ｍが常設され、同通気専用経路Ｚ１１内の常時直接外気Ｇの進入、通気、排出を促し、又、軒天換気口Ｎｇ又は外壁通気層Ｖ２より進入する外気Ｇ又は気流ｇ１が屋根通気層Ｖ１の屋根通気路Ｖ１１を合流して経過し、屋根通気層Ｖ１内の熱気、湿気を含み同通気専用経路Ｚ１１内に進入した合流の上昇気流ｇ１の排出を促すものであって、外部の自然気流の進入を主とする通気、排出であり、又、補助として自動制御の換気ファンＫ１を同通気専用経路Ｚ１１の両側妻面壁のいずれか一方に附設し、同通気専用経路Ｚ１１内の設定温度、設定湿度を、温度センサーＴＣ、湿度センサーＨＣが感知し、同通気専用経路Ｚ１１内の中央よりパイプダクトＰ１にて吸引し、自動運転で通気及び気流の排出を強制的に行い、設定以下で自動停止するもので、屋根裏ゾーンＺ１内の常時通気の状態と、促進を計り、且つ外気流の状態にとらわれず、自然と強制の両用の機能を混用し、通気を促進することを特徴とする屋根裏ゾーンＺ１のハイブリッド通気促進の方法であり、又、
当該小屋裏ゾーンＺ２のハイブリッド通気及び通気制御機能ＫＣ−２とし、自動開閉式自然通気制御機器の上下一定の温度を定め開閉する、温度差利用の熱感知式形状記憶合金使用の換気ガラリＴ１の基本常設機能に、自動制御の換気ファンＫ２を附設構成し混用する通気及び通気制御機能であって、同小屋裏ゾーンＺ２の両側の妻壁に基本常設機能の自動開閉式の自然通気制御機器の換気ガラリＴ１が常設され、連通する床下ゾーンＺ３の同自動開閉式の自然通気制御機器の床下換気口Ｔ１と連携の通気及び通気制御を行うもので、自然気流の進入による通気を主とし、外気温が一定温度以上の場合開口し、同ゾーンＺ２内に直接外気Ｇの進入と通気・排出を促し、連通状態の床下ゾーンＺ３より上昇する気流ｇ２が内壁通気構造体ＷＺの通気層Ｖ３の通気路Ｖ３３を経過し小屋裏ゾーンＺ２内に進入経過し、開放状態の同換気ガラリＴ１が同ゾーンＺ２内の気流と合流の気流ｇ４の排出を促すもので、又、一定温度以下の場合閉鎖し、外気Ｇの進入を自動通気制御するものであり、又、補助として同ゾーンＺ２内の設定温度、設定湿度を温度センサーＴＣ、湿度センサーＨＣが感知し、同ゾーンＺ２内の中央よりパイプダクトＰ２にて吸引する自動制御の換気ファンＫ２が同ゾーンＺ２の両側妻壁のいずれか一方に附設し、又、近接の連結される外壁周囲の内壁通気構造体ＷＺの上部に附設する同型式の換気ファンＫ２が同通気構造体ＷＺの通気層Ｖ３内の設定温度、設定湿度を温度センサーＴＣ、湿度センサーＨＣにて感知し、自動運転し同通気層Ｖ３内の通気及び気流の排出を強制的に行い、設定以下で自動停止するもので、一定の温度、湿度の上昇を自動制御し、且つ、外気温が一定温度以下で閉じ、外気の進入を自動通気制御する、自然と強制の両用の機能を混用し、通気を促進し、又、通気制御を行うことを特徴とする小屋裏ゾーンＺ２のハイブリッド通気及び通気制御の方法であって、
又、当該床下ゾーンＺ３のハイブリッド通気及び通気制御機能ＫＣ−３とし、上記小屋裏ゾーンＺ２同様、自動開閉式の自然通気制御機器の温度差利用の熱感知式形状記憶合金使用の床下換気口Ｔ１の基本常設機能に、自動制御の床下専用換気ファンＫ３を附設構成し混用する通気制御機能であって、立ち上り断熱布基礎Ｆ１の周囲に一定の数量を定め常設する基本常設機能の自動開閉式の自然通気制御機器の床下換気口Ｔ１が、連通する小屋裏ゾーンＺ２の同自動開閉式の自然通気制御機器の換気ガラリＴ１と連携を行うもので、外気温が一定温度以上の場合開口し、同ゾーンＺ３内に直接外気Ｇの進入と通気、排出を促し、又同ゾーンＺ３内の進入経過する気流が上昇気流ｇ２として、連通する内壁通気構造体ＷＺの通気層Ｖ３の通気路Ｖ３３を経過し、上部の小屋裏ゾーンＺ２へ上昇気流ｇ３として導かれる連携の通気形態であり、又、一定温度以下の場合閉鎖し、外気Ｇの進入を自動通気制御するものであり、さらに、補助として立ち上り断熱布基礎Ｆ１に一定の数量を定め附設する自動制御の床下専用換気ファンＫ３は、当該床下ゾーンＺ３内の湿度状況対応とするもので、設定湿度を湿度センサーＨＣが感知し、同ゾーンＺ３内の中央よりパイプダクトＰ３にて吸引し、自動運転で通気、排出を強制的に行い、設定以下で自動停止するもので、一定の湿度の上昇を自動制御し、又は上下一定の外気温度で開閉し、一定の温度以下で外気の進入を自動閉鎖する、自然と強制の両用の機能を混用し、通気を促進し、又通気制御を行うことを特徴とする床下ゾーンＺ３のハイブリッド通気及び通気制御の方法であり、
専用ゾーン別通気構造から構成され、又、常時開放通気の専用ゾーンと通気及び通気制御の専用ゾーンから構成される断熱通気構造体１の通気及び通気制御を行うにあたり、常時開口の自然開放通気機器と自動開閉式の自然通気制御機器の専用ゾーン別基本常設機能に、補助としてソーラーエネルギーを主とし、自動制御装置を用いた自動制御の換気ファンを専用ゾーン別に附設し、専用ゾーン別ハイブリッド通気及び通気制御機能として構成し、混用して通気及び通気制御を行うという技術的手段を採用した。
【００１５】
更にまた本発明は上記技術的課題を解決するために、前記請求項３記載の屋根の形状が四方傾斜状態の場合の屋根裏ゾーンＺ１の通気及び通気制御機能が、小屋裏ゾーンＺ２の通気及び通気制御を媒介する共用の通気及び通気制御の機能であって、屋根裏ゾーンＺ１に位置し、専用ゾーン別ハイブリッド通気及び通気制御機能ＫＣ−４又は、ハイブリッド通気及び通気制御機能ＫＣ−５として構成されることを特徴とする、屋根裏ゾーンＺ１と小屋裏ゾーンＺ２共用のハイブリッド通気及び通気制御の方法であって、常時開放通気の専用ゾーンとする屋根裏ゾーンＺ１、通気及び通気制御の専用ゾーンとする小屋裏ゾーンＺ２の専用ゾーン別通気及び通気制御とすべく、
当該屋根裏ゾーンＺ１の基本常設機能の常時開口の自然開放通気機器以外に、小屋裏ゾーンＺ２の屋根裏ゾーンＺ１への取り込み通気媒介とする、通気及び通気制御の自動開閉式の自然通気制御機器又は開閉専用の電気式シャッターＫ４を附設した屋根裏ゾーンＺ１の基本常設機能とし、補助としてソーラーエネルギーを主とする設定温度、設定湿度を温度センサーＴＣ、湿度センサーＨＣが感知し、自動運転・停止する自動制御の換気ファンを附設機能とし、混用して通気及び通気制御を行う、ハイブリッド通気及び通気制御を特徴としたもので、
又、当該換気ファンを自動制御する制御装置が、太陽光発電を供給する装置の太陽電池パネルＥ０を設置し、ソーラーエネルギーを主として自動運転・停止を自動制御するコントローラＣＲ、温度スイッチＴＳ、湿度スイッチＨＳ及び連動運転と夜・雨天時の家庭用電源の自動切換のリレーユニットＲＵから構成され、屋根裏ゾーンＺ１の棟部常時通気専用経路Ｚ１２に附設される換気ファンＫ１の制御装置ＹＣ、及び小屋裏ゾーンＺ２専用の換気ファンＫ２の制御装置ＫＣとして附設されるものであり、
当該屋根裏ゾーンＺ１に位置し、屋根裏ゾーンＺ１及び小屋裏ゾーンＺ２の専用ゾーン別通気及び通気制御を行うにあたり、ハイブリッド通気及び通気制御機能ＫＣ−４として構成される特徴が、
当該屋根裏ゾーンＺ１の常時開口の自然開放通気機器と、小屋裏ゾーンＺ２の通気及び通気制御を行う屋根裏ゾーンＺ１の棟部常時通気専用経路Ｚ１２に附設される同通気専用経路Ｚ１２と小屋裏ゾーンＺ２の通気媒介の自動開閉式の自然通気制御機器を屋根裏ゾーンＺ１の基本常設機能とし、さらに補助としてソーラーエネルギーを主とし、設定温度、設定湿度を感知し、自動運転・停止する自動制御の換気ファンＫ１を同通気専用経路Ｚ１２内のいずれか一方に附設し、且つ、同換気ファンＫ１のパイプダクトＰ１を分岐し、一方は同通気専用経路Ｚ１２内の中央に、一方は貫通挿入し小屋裏ゾーンＺ２内へ装着し、同ゾーンＺ２と屋根裏ゾーンＺ１を同時に通気、換気するものであり、両ゾーンの通気及び通気制御を自然と強制の両機能を混用し行うゾーン別ハイブリッド通気及び通気制御機能ＫＣ−４であって、両ゾーン共用の通気及び通気制御機能であり、
当該屋根裏ゾーンＺ１の棟部常時通気専用経路Ｚ１２の両側の通気専用棟ＷＴの妻壁に常設する常時開口の自然開放通気機器の換気ガラリＲＶと棟の換気口Ｍは、連携する通気排出機能で、同通気専用経路Ｚ１２内の常時直接外気Ｇの進入、通気、排出を促し、さらに軒天換気口Ｎｇ又は外壁通気層Ｖ２より進入する外気Ｇ及び上昇気流ｇ０が屋根通気路Ｖ１１を合流して経過し、同通気専用経路Ｚ１２内に進入した合流の上昇気流ｇ１の通気、排出を促すものであって、
又、小屋裏ゾーンＺ２と気密断熱区画された同通気専用経路Ｚ１２の最高の高さｈ２とした部分に、同小屋裏ゾーンＺ２と同通気専用経路Ｚ１２との通気媒介とする自動開閉式で温度差利用の熱感知式形状記憶合金使用の自然通気制御機器の換気ガラリＴ１もしくは、自動開閉式の開閉専用電気式シャッターＫ４のいずれかを最低一台附設するものとし、同機能を屋根裏ゾーンＺ１の基本常設機能に附設構成とするものであり、一定の温度以上の場合開口し、小屋裏ゾーンＺ２と連通する床下ゾーンＺ３に進入した外気Ｇが上昇気流ｇ２として連通の内壁通気構造体ＷＺの通気路Ｖ３３を経過し、同ゾーンＺ２に進入経過し、開口状態の自動開閉式の自然通気制御機器を媒介し、連通状態となった同通気専用経路Ｚ１２に進入し、常設機能の換気ガラリＲＶ又は棟換気口Ｍの連携により通気・排出され、又一定温度以下で閉鎖し、同通気専用経路Ｚ１２の気流及び進入外気Ｇの同小屋裏ゾーンＺ２内への進入を自動通気制御するものであり、又、さらに、補助としてソーラーエネルギーを主とし、附設する同通気専用経路Ｚ１２内への自動制御の換気ファンＫ１のパイプダクトＰ１を分岐し、一方は同通気専用経路Ｚ１２の中央に、一方は貫通挿入し、小屋裏ゾーンＺ２内へ装着し両ゾーンの設定温度、設定湿度を温度センサーＴＣ、湿度センサーＨＣが感知し、自動運転し、通気排出され、又、設定以下で停止するもので、両ゾーンの通気及び通気制御を自然と強制の両機能を混用し専用ゾーン別通気及び通気制御を行うゾーン別ハイブリッド通気及び通気制御機能ＫＣ−４であり、
又、当該屋根裏ゾーンＺ１に位置し、屋根裏ゾーンＺ１及び小屋裏ゾーンＺ２の専用ゾーン別通気及び通気制御を行うハイブリッド通気及び通気制御機能ＫＣ−５とした場合の特徴として、上記ハイブリッド通気及び通気制御機能ＫＣ−４の機能をそのままに、さらに、屋根裏ゾーンＺ１へ小屋裏ゾーンＺ２専用の通気制御機能として附設する自動制御の換気ファンＫ１と同型式の小屋裏ゾーンＺ２内の設定温度、設定湿度を感知し、自動運転・停止の自動制御の換気ファンＫ２を換気ファンＫ１の附設位置と反対側へ附設し、常時通気専用経路Ｚ１２の底面を貫通挿入し同ゾーンＺ２専用のパイプダクトＰ２を装着し、同ゾーンＺ２に分岐配管し吸引する換気ファンＫ１と換気ファンＫ２による自動制御の強制機能と自然機能の両機能を混用し共用して通気を促進し、又、通気制御を行うことを特徴とするハイブリッド通気及び通気制御機能ＫＣ−５であって、上記ハイブリッド通気及び通気制御機能ＫＣ−４同様、屋根裏ゾーンＺ１と小屋裏ゾーンＺ２共用の通気及び通気制御機能を特徴とするものであり、常時開放通気の専用ゾーンとする屋根裏ゾーンＺ１、通気及び通気制御の専用ゾーンとする小屋裏ゾーンＺ２として、屋根の形状が四方傾斜状態の場合の専用ゾーン別通気及び通気制御にあたり、屋根裏ゾーンＺ１に位置する通気及び通気制御の両機能が小屋裏ゾーンＺ２の通気及び通気制御を媒介し、又、同機能が両ゾーンに共用する常時開口の自然開放通気機器と自動開閉式の自然通気制御機器を基本常設機能とした自然気流対象機能と、ソーラーエネルギーを主とし、自動制御装置を用いた自動制御の換気ファンの両機能を混用する屋根裏ゾーンＺ１と小屋裏ゾーンＺ２の共用するハイブリッド通気及び通気制御機能ＫＣ−４又はハイブリッド通気及び通気制御機能ＫＣ−５であり、
屋根裏ゾーンＺ１及び小屋裏ゾーンＺ２の通気及び通気制御が、ハイブリッド通気及び通気制御機能ＫＣ−４又は同機能ＫＣ−５として屋根裏ゾーンＺ１に附設構成され行われるという技術的手段を採用した。
【発明の効果】
【００１６】
本発明に係る専用ゾーン別通気構造から構成される断熱通気構造体及び同構造体の専用ゾーン別ハイブリッド通気及び通気制御の方法にあっては、常時開放通気の専用ゾーンと通気及び通気制御の専用ゾーン別通気構造から構成される断熱通気構造体であり、夏の直射日光を浴びる過酷な条件と、冬の積雪による内、外の温度差の厳しい屋根部分を、常時開放通気専用ゾーンの屋根裏ゾーンとし、又、小屋裏部分、床下部分を冬の保温を考慮した通気及び通気制御の専用ゾーンの小屋裏ゾーン及び床下ゾーンとし、連通した、連携の通気及び通気制御を行うとしたもので、又、特に特徴とする常時開放通気の専用ゾーンとした屋根裏ゾーンを通気及び通気制御の専用ゾーンと気密断熱区画し、双方の干渉をなくし、常時開放通気の屋根通気層とした上でさらに、屋根棟部に同通気層と一体形成の通気・排出専用の一連の経路の棟部常時通気専用経路を構成し、棟換気口のみならず、両妻壁にも自然開放通気機器を附設することで、軒天通気あるいは外壁通気を含みより通気性を高めることになり、冬の温度差による外壁の通気層内の壁体内結露の防止にもつながる。
【００１７】
夏、冬期間を通し、外周の屋根通気層、外壁通気層の一連の通気層を常時開放通気とし、内側を冬期間の室内保温を目的に、連通し、連携の通気制御を行い、一連の無通気層とし、室内を中央に、周囲を保温層とする構成から、最も容易に高い通気効果と通気制御効果が得られることから、夏、冬期間における冷房効果と暖房効果をもたらし、さらに省エネルギーを促進するものであり、従来のように、棟換気口のみによる通気・排出とさらに兼用で通気制御を行うとして、断熱通気の構造体全体の通気・排出不足を招くこともなく、たとえ冬期間に棟換気口が積雪で閉ざされたとしても常時通気専用経路の常時開口通気の両側妻面換気ガラリにて屋根の通気・排出が充分行われ、屋根の通気性が低下する弊害がなく、さらに、夏の屋根の直射日光による輻射熱の排出を棟換気口のみとするより、同通気専用経路の棟換気口、両側妻面換気ガラリ、さらには小屋裏ゾーンの両妻壁換気ガラリの二重で通気・排出する通気効果は明らかであり、夏、冬期間を共通して無理なく効率よく、全体が通気促進または通気制御され、建物の通気性、保温性の向上とさらに省エネルギーで長期耐久性の向上に大きく貢献できるものである。
【００１８】
さらに、屋根裏ゾーンの常時開口の自然開放通気機器と連通し、連携で通気及び通気制御を行う小屋裏ゾーン及び床下ゾーンの自動開閉式の自然通気制御機器の専用ゾーン別基本常設機能に、補助として、ソーラーエネルギーを主とし、又夜・雨天時は家庭用電源に自動切換する自動制御装置を用いた自動制御の換気ファンを専用ゾーン別として、屋根裏ゾーンと小屋裏ゾーンに、又床下ゾーンに床下専用換気ファンを附設し、自動通気・通気制御機器と強制の両機能を混用する、専用ゾーン別ハイブリッド通気及び通気制御機能とし、
従来のように、自然気流の状態による自然の影響に左右されることなく、夏の梅雨時における高温多湿で、無風状態であっても、各専用ゾーン内の設定温度、設定湿度を、温度センサー・湿度センサーが感知し、自動運転し、設定以下で停止する、常時温度、湿度対策に効果的で、
又、冬期間は連通し、連携して通気制御する小屋裏ゾーンと床下ゾーンの基本常設機能の、上下一定の温度を定め開閉する自動開閉式の自然通気制御機器の換気ガラリと床下換気口が一定の温度以下で同時自動閉鎖され、冬期間を室内保温状態の無通気層とし、周囲を保温層として構成するハイブリッド通気及び通気制御を行う断熱通気構造体であり、常時安定した通気効果で、夏の冷房効果と冬の暖房効果を向上させることができる。
【００１９】
又、小屋裏ゾーンとして構成される室内天井に断熱フォームを附設し密接施工とし、断熱通気構造の小屋裏ゾーンとして構成され、ハイブリッド通気及び通気制御を行う断熱通気構造体とする場合の冷房効果で、夏の直射日光を受ける屋根部分の輻射熱を屋根裏ゾーンと小屋裏ゾーンの二重の断熱通気構造として形成されるもので、又、二重にハイブリッド通気されることから、高い断熱効果と通気効果を発揮し、小屋裏ゾーン内の輻射熱をさらに軽減し強制通気・排出され又、床下、壁体内及び小屋裏ゾーンの連通によるハイブリッド通気・排出にて同壁体内、小屋裏ゾーン内の通気・排出が促進され、室内の冷房効果をさらにもたらし、冬期間においても天井断熱、屋根断熱の二重の断熱と室内の温度の天井逃避をなくし、通気制御された床下ゾーン、小屋裏ゾーンと壁体の周囲保温層がさらに保温効果を向上させるもので、保温効果の向上から室内の暖房効果をさらにもたらす、断熱通気構造の屋根裏ゾーン、小屋裏ゾーン、床下ゾーンから構成され、専用ゾーン別ハイブリッド通気及び通気制御の断熱通気構造体の効果を特徴として、
夏、冬期間共通して、最も冷房効果と、暖房効果を促進し、又、ソーラーエネルギー主体の自動制御の換気ファンと自然開放通気機器及び自然通気制御機器の混用のハイブリッド通気及び通気制御にて最も省エネルギーで安定した通気・排出ができる。
【００２０】
さらに、従来のように、建物の形状によって設置する棟換気の数が限られたり、又、規模による通気・排出不足からの構造体内の通気不良から起こる結露の発生による弊害又は、密集地の場合の立地条件で、外の気流不足からの構造体内の通気不良から起こる床下の多湿又は、密集地特有の梅雨時の屋根通気層内と壁体通気層内の気流通気不足による通気不良から起こる屋根・壁体内の結露の発生による弊害が専用ゾーン別通気構造の専用ゾーン別ハイブリッド通気とすることで、専用ゾーン別に設定温度、設定湿度を感知し、自動運転し、設定以下で自動停止とした、自然通気機器で補えない場合の自然と強制の両方を混用するハイブリッド通気及び通気制御機能であり、又、任意の温度、湿度設定であるため、以上のような弊害がなく又、任意の温度・湿度の設定であることから温暖地域、寒冷地域に応じた設定が可能で常時専用ゾーン別に温度・湿度の状態を自己診断し通気を促進し、温度対策、湿度対策に最も効果的で、建物の通気性と長期耐久性の向上に大きく貢献できるもので又、全地域に対応可能である。
【００２１】
更に又、床下を床下熱源媒介とする１階全室あるいは１階の全床を床暖房とする場合の床下土間的仕様で、床下密閉ゾーンとする一般木造住宅及び木造の大型施設等において、常時通気促進の屋根裏ゾーンをハイブリッド通気機能とし、通気及び通気制御を行う小屋裏ゾーンをハイブリッド通気及び通気制御機能とし、さらに小屋裏ゾーンと連通する外壁周囲の断熱通気構造の内壁通気構造体に取り込み通気とする、自動開閉式の自然通気制御機器の換気ガラリを附設し、床下換気口の代用としたもので、小屋裏ゾーンが外壁周囲の同内壁通気構造体の下方に附設された同換気ガラリによって、同内壁通気構造体の通気層と常時連通し連携で通気及び通気制御を行い、上下一定の温度を定め開閉する温度差利用の熱感知式形状記憶合金使用の自動開閉式換気ガラリで、冬期間の一定の温度以下で小屋裏ゾーンの同型式の換気ガラリと同時閉鎖し、通気制御され一連の無通気層として室内を中央に、床下暖房と周囲を保温層で構成し、又、外周の屋根通気層・外壁通気層が一連の通気層で夏、冬期間を通し常時通気の状態であり、
夏、冬期間共通して床下ゾーンがなくても安定した通気と通気制御ができ又、外壁周囲の壁体内通気層の通気不良とする通気不足もしくは同壁体内の通気層の内と外の温度差による結露の発生による弊害もなく、構造体の耐久性が損なわれることなく、このような現代の生活様式の変貌から断熱通気構造体の構造体系を主に応用する多様化の断熱通気構造体の木造住宅も充分対応できるものである。
【発明を実施するための最良の形態】
【００２２】
以下、本発明を添付図面に示す実施例に基づき詳しく説明する。
図１の（ａ）は本発明に係る実施例１の断熱通気構造体１とする概略断面図及び（ｂ）・（ｂ´）の専用ゾーン別基本常設機能の附設構成図であり、なお、図２の（ａ）・（ａ´）は常時開放通気の屋根裏ゾーンＺ１と通気及び通気制御の小屋裏ゾーンＺ２並びに床下ゾーンＺ３の通気専用ゾーンと通気及び通気制御の専用ゾーン別通気構造の概略断面分断図であり、（ｂ）及び（ｂ´）は同専用ゾーン別通気構造の通気層及び通気路の通気専用ゾーンＺ１と通気及び通気制御の専用ゾーンＺ２・Ｚ３の概略分解図である。
【００２３】
また図３の（ａ）は図１（ａ）の小屋裏ゾーンＺ２の小屋裏断熱通気構造ＫＤが小屋裏通気構造ＫＤ１として構成される場合であり、（ｂ）は棟部常時通気専用経路Ｚ１１の形成の特徴で、いずれも共通の棟部常時通気専用経路Ｚ１１とする、底面が一面で、左右の屋根断熱通気構造ＹＤと一体形状で形成される場合の屋根裏ゾーンＺ１を示す概略断面分断図である。
【００２４】
図４及び図５は同実施例１の屋根裏ゾーンＺ１として構成される屋根断熱通気構造ＹＤが、異なる屋根の通気形態と異なる屋根の通気構造形態の組み合わせ選択施工で構成されることを特徴とし、いずれも屋根断熱通気構造であり、常時開放通気の専用ゾーンとして共通の屋根裏ゾーンＺ１とする図４の全体通気層断面（ａ）、（ｂ）及び図５の概略通気構造断面の分断図（ａ）・（ｂ）であり、同図４（ａ）は屋根の通気形態が外壁Уの施工を通気構法ｋ１とした軒天通過型の外壁の通気を伴う場合をＡ１とし、同（ｂ）は外壁Уの施工を通気構法ｋ２とした軒天不通過型の外壁の通気を伴わない軒天通気のみの場合をＡ２とし、
夏をＳ、冬をＷとし、夏、冬期間における専用ゾーン別通気構造の通気層内の通気による気流の進入及び排出の工程と通気制御の状態を示す比較対称の全体通気層断面図（ａ）・（ｂ）であり、又、図５（ａ）は、屋根の通気構造形態が一定の厚さの板状の断熱フォームＡによる母屋間気密断熱施工の場合の屋根断熱通気構造ＹＤをＢ１とし、（ｂ）は垂木間または垂木間と垂木上の気密断熱施工の場合の屋根断熱通気構造ＹＤをＢ２とする概略通気構造断面の分断図である。
【００２５】
また図６の（ａ）は同実施例１の夏をＳ、冬をＷとし、夏・冬期間を例に、専用ゾーン別通気構造の通気層内の通気による気流の進入及び排出の工程及び通気制御の状態を軒天通気・外壁通気を伴う屋根の通気形態Ａ１として示す比較対称の全体通気層断面図であり、前記図４（ｃ）の自動開閉式の自然通気制御機器Ｔ１の開閉状態をもとに、（ｃ）の１のＴ１−Ｃは閉鎖状態を示し、２のＴ１−０は開口状態を示すものであり、（ａ−１）（ａ−２）は夏をＳとし、夏期間の通気及び通気制御の専用ゾーンの床下ゾーンＺ３と小屋裏ゾーンＺ２の通気による気流の進入と排出が専用ゾーン別基本常設機能の図１の（ｂ´）によって行われることを示す概略横断面図で、（ａ−３）は夏、冬期間を問わず、常時開放通気の専用ゾーンの屋根裏ゾーンＺ１の通気による気流の進入と排出が、基本常設機能の図１の（ｂ）によって行われることを示す概略横断面図である。
【００２６】
図７の（ａ）は同実施例１の屋根の通気形態Ａ２とする軒天通気のみの外壁通気を伴わない屋根裏ゾーンＺ１の場合の全体通気層断面図で、（ａ−１）（ａ−２）（ａ−３）は図６同様、専用ゾーン別基本常設機能の図１（ｂ）・（ｂ´）とした専用ゾーン別通気による気流の進入と排出を示す概略横断面図である。

【００２７】
図８は同実施例１の屋根裏ゾーンＺ１及び小屋裏ゾーンＺ２の専用ゾーン別基本常設機能の（ｂ）の附設構成を示す概略断面斜視図で又、図９は夏期間をＳとし、例とする開放通気専用ゾーンの屋根裏ゾーンＺ１の常時通気専用経路Ｚ１１内への直接外気Ｇの進入と屋根通気層Ｖ１内への通気による気流の進入および同専用経路Ｚ１１による排出の工程と、又、通気及び通気制御の専用ゾーンである小屋裏ゾーンＺ２と床下ゾーンＺ３に附設される自動開閉式の自然通気制御機器のＴ１の開口による両ゾーンの連通する通気層内の通気による気流の進入及び排出の工程を示す概略全体断面斜視図。
【００２８】
図１０は同実施例１の、組み合わせ構成される断熱通気構造体１の屋根の形状が四方傾斜状態の場合の屋根裏ゾーンＺ１の通気専用棟ＷＴの附設構成図であり、図１１の（ａ）は、屋根裏ゾーンＺ１の棟部常時通気専用経路Ｚ１２及び小屋裏ゾーンＺ２の概略斜視図と、両ゾーンに係る専用ゾーン別基本常設機能の（ｂ）・（ｂ´）の附設構成を示すもので、又、図１２の（ａ）は両ゾーンの専用ゾーン別通気構造の通気層内の通気による気流の進入と排出の状態を示す概略通気層断面の分断図で、（ｂ）は夏をＳ、冬をＷとし、夏、冬期間を例に（ｃ）の自動開閉式の自然通気制御機器Ｔ１の開閉の状態図をもとに、１のＴ１−Ｃは閉鎖状態、２のＴ１−Ｏは開口状態を示し、専用ゾーン別通気層内の通気による気流の進入及び排出の工程と通気制御の状態を比較対称とした全体通気層断面図。
【００２９】
図１３の（ａ）は同実施例１の専用ゾーン別基本常設機能の（ｂ）をもとに補助として（ｂ´）のソーラーエネルギーを主とする自動制御の換気ファンを附設構成し、混用する専用ゾーン別ハイブリッド通気及び通気制御を行う断熱通気構造体１の概略断面図及び専用ゾーン別ハイブリッド通気及び通気制御機能の附設構成図であり、夏をＳ、冬をＷとし、夏、冬期間を例に、（ｃ）の自動開閉式の自然通気制御機器Ｔ１の開閉状態図に基づき比較対称したもので、なお、図１４の（ａ）は同図１３の（ａ）を説明する、常時通気の専用ゾーンの屋根裏ゾーンＺ１のハイブリッド通気機能ＫＣ−１と制御装置ＹＣ、同（ａ´）は通気及び通気制御の専用ゾーンの小屋裏ゾーンＺ２のハイブリッド通気及び通気制御機能ＫＣ−２と制御装置ＫＣ、及び床下ゾーンＺ３の同機能ＫＣ−３と制御装置ＵＣとして専用ゾーン別通気構造に附設構成される概略断面分断図で又、（ｂ）及び（ｂ´）はその常時開放通気の専用ゾーンと通気及び通気制御の専用ゾーン別機能に基づくハイブリッド通気及び通気制御が行われる専用ゾーン別通気構造の通気層と通気路の概略分解図。
【００３０】
図１５の（ａ）は同実施例１の屋根の通気形態を外壁Уの通気を軒天通過型のＡ１とする専用ゾーン別ハイブリッド通気及び通気制御を行う断熱通気構造体１の全体通気層断面図で、夏をＳ、冬をＷとし、夏、冬期間を例に図１３の（ｃ）の自動開閉式の自然通気制御機器Ｔ１の開閉状態図をもとに、専用ゾーン別通気構造の通気層内のハイブリッド通気及び通気制御機能による気流の進入及び排出の工程と通気制御の状態を示すもので、（ａ−１）、（ａ−２）は床下ゾーンＺ３及び小屋裏ゾーンＺ２のハイブリッド通気及び通気制御機能ＫＣ−３及びＫＣ−２による夏期間をＳとし、例とした自然通気と自動制御の強制通気とする気流の進入及び排出の工程を示し、（ａ−３）は外壁の通気を伴うＡ１施工の屋根裏ゾーンＺ１の常時通気のハイブリッド通気制御機能ＫＣ−１による、自然通気と強制通気とする気流の進入及び排出を示す工程と、同機能が常時通気専用経路Ｚ１１に附設構成されていることを示す概略横断面図。
【００３１】
図１６の（ａ）は同実施例１の専用ゾーン別ハイブリッド通気及び通気制御を行う（ｂ）の基本常設機能及び（ｂ´）のソーラーエネルギーを主とする、自動制御の換気ファンを附設し混用する屋根裏ゾーンＺ１及び小屋裏ゾーンＺ２の専用ゾーン別ハイブリッド通気及び通気制御機能の附設構成と、ソーラーエネルギーの太陽電池パネル及び自動制御の制御装置の附設構成を示す概略断面斜視図で又、図１７は夏をＳとし、夏期間を例に専用ゾーン別通気構造の通気層内の通気による気流の通気形態で、専用ゾーン別ハイブリッド通気及び通気制御機能の自然通気と自動制御の強制通気とする気流の進入及び排出の工程を示す概略全体断面斜視図。
【００３２】
図１８の（ａ）はハイブリッド通気及び通気制御を行う、屋根の形状が四方傾斜状態の場合の、実施例１の屋根裏ゾーンＺ１に（ｂ）のハイブリッド通気及び通気制御機能を附設構成し、ハイブリッド通気及び通気制御を行う断熱通気構造体１の屋根裏ゾーンＺ１及び小屋裏ゾーンＺ２の概略斜視図及びハイブリッド通気制御機能ＫＣ−４の附設構成を示すものであり、図１９（ａ）はその両ゾーンの概略通気層断面の分断図、（ｂ）は夏をＳ、冬をＷとし、夏、冬期間の専用ゾーン別通気構造の通気層内の通気による気流の進入及び排出を（ｃ）の自動開閉式の自然通気制御機器Ｔ１の開閉状態図にもとに、例として比較対称し示す全体通気層断面図及び専用ゾーン別自動制御装置の構成図で同（ｃ）の１のＴ１−Ｃは閉鎖状態、２のＴ１−０は開口状態を示す。
【００３３】
図２０の（ａ）は専用ゾーン別ハイブリッド通気及び通気制御を行う実施例１の図１８の（ａ）に、屋根裏ゾーンＺ１の棟部常時通気専用経路Ｚ１２に小屋裏ゾーンＺ２専用の自動制御の換気ファンＫ２を附設構成し、（ｂ）のハイブリッド通気及び通気制御機能ＫＣ−５として附設構成する断熱通気構造体１の屋根裏ゾーンＺ１及び小屋裏ゾーンＺ２の概略斜視図であり、図２１の（ａ）は、その両ゾーンの概略通気層断面図の分断図及び（ｂ）は全体通気層断面図及び専用ゾーン別通気制御装置の構成図。
【００３４】
図２２の（ａ）は本発明に係る実施例２とする、実施例１と組み合わせ構成される床下密閉ゾーンＺ４とした場合の断熱通気構造体１´の概略断面図及び（ｂ）・（ｃ）の専用ゾーン別基本常設機能の附設構成を示すものであり、又、図２３の（ａ）・（ａ´）は常時開放通気の専用ゾーンの屋根裏ゾーンＺ１と、連携の通気及び通気制御を行う小屋裏ゾーンＺ２と内壁通気構造体ＷＺの専用ゾーン別通気構造の概略通気層分解図で、（ｂ）は夏をＳ、冬をＷとし、夏、冬期間を例に（ｃ）の自動開閉式の自然通気制御機器Ｔ１の開閉の状態図をもとに比較対称としたもので、（ｃ）の１のＴ１−Ｃは閉鎖状態、２のＴ１−０は開口状態を示し、夏、冬期間における専用ゾーン別通気構造の通気層内の通気による通気形態を例に比較対称とした気流の進入及び排出の工程と通気制御の状態を示す全体通気層断面図。
【００３５】
図２４の（ａ）は実施例２の断熱通気構造体１´の専用ゾーン別基本常設機能に補助として、ソーラーエネルギーを主とした自動制御の換気ファンを附設機能とした（ｂ）及び（ｂ´）の構成で、専用ゾーン別ハイブリッド通気及び通気制御を行う断熱通気構造体１´の概略断面図であり、附設機能の附設構成図であって、又、図２５の（ａ）・（ａ´）は専用ゾーン別通気構造部分に附設構成されるハイブリッド通気及び通気制御機能のＫＣ−１及びＫＣ−２と専用ゾーン別通気層及び通気路を示す概略分解図で、（ｂ）は夏をＳ、冬をＷとし、夏、冬期間を例に、前記図２３の（ｃ）の自動開閉式の自然通気制御機器Ｔ１の開閉図の状態をもとに比較対称とした、専用ゾーン別通気構造のハイブリッド通気及び通気制御機能による専用ゾーン別通気層内の通気による気流の進入と排出の工程及び通気制御の状態を示す全体通気層断面図である。
【実施例１】
【００３６】
実施例１の断熱通気構造体１は図１（ａ）及び図２（ａ）・（ａ´）に示すように、常時開放通気の専用ゾーンの屋根断熱通気構造ＹＤで、１体形状の棟部常時通気専用経路Ｚ１１が形成されている屋根裏ゾーンＺ１と、通気及び通気制御の専用ゾーンとする小屋裏断熱通気構造ＫＤ又は図３（ａ）の小屋裏通気構造ＫＤ１の小屋裏ゾーンＺ２及び床下断熱通気構造ＵＤの床下ゾーンＺ３の専用ゾーン別通気構造から構成され、又、図２（ｂ´）の通気及び通気制御の専用ゾーンの小屋裏ゾーンＺ２と床下ゾーンＺ３の連通による連携で通気及び通気制御を行なうとし、両ゾーンの連絡通気を形成する上で、さらに内壁断熱通気構造ＷＤの内壁通気構造体ＷＺから構成されていて、常時開放通気の専用ゾーンの屋根裏ゾーンＺ１に図１（ｂ）に示す常時開口の自然開放通気機器の棟換気口Ｍ、妻面換気ガラリＲＶ、及び軒天換気口Ｎｇと、又、通気及び通気制御の専用ゾーンの小屋裏ゾーンＺ２及び床下ゾーンＺ３に市販の上下一定の温度を定め開閉する、温度差利用の熱感知式形状記憶合金使用とする図１（ｂ´）の自動開閉式の自然通気制御機器の換気ガラリＴ１及び同型式の床下換気口Ｔ１が専用ゾーン別基本常設機能として附設構成されている。
【００３７】
以下、専用ゾーン別通気構造で常時開放通気の専用ゾーンＺ１と通気及び通気制御の専用ゾーンＺ２及びＺ３から成る本実施例の断熱通気構造体１を構成する上で専用ゾーン別通気形態及び通気構造形態、さらに組み合わせ形成し構成される形態及び附設構成される専用ゾーン別基本常設機能による専用ゾーン別通気及び通気制御を行なう工程を図１〜図１２を参照しながら詳しく説明する。
【００３８】
常時開放通気の専用ゾーンとする屋根裏ゾーンＺ１は、図２（ａ）及び（ｂ）に示すように、屋根下葺材Ｎと小屋裏とを一定の厚さの板状の屋根断熱フォームＡを用い気密断熱区画し、屋根通気層Ｖ１を形成する屋根断熱通気構造ＹＤと、屋根棟中心に位置し、棟を頂点とし、底面が平面状の一定の幅 e１で、左右ｈ１の高さのコ型の形状とした三方を一定の厚さの板状の断熱フォームＡを用い下地構成し、棟を含む内部空洞の通気層とする箱状で、さらに両端を小屋裏の両側の妻壁と一体形成とした一連の左右ｈ１の高さで小屋裏ゾーンＺ２と気密断熱区画された棟部常時通気専用経路Ｚ１１が左右連通し、一体形状で形成され、軒天に軒天換気口Ｎｇ、同棟部常時通気専用経路Ｚ１１の両妻壁に妻面換気ガラリＲＶ及び棟に棟換気口Ｍの常時開口の自然開放通気機器が附設構成されている（図１（ｂ）、図８参照）。
【００３９】
又、屋根裏ゾーンＺ１の棟部常時通気専用経路Ｚ１１は図３（ｂ）のように形成される場合があり、いずれも共通する棟部常時通気専用経路Ｚ１１であることを示すもので、棟を頂点とし、棟を含む内部空洞で、平面状の底面の一面で屋根断熱通気構造ＹＤと左右１体形状とし、左右連通で形成され、底面より棟までの高さを両側の妻面換気ガラリが取り付け可能な高さとし、底面を一定の厚さの板状の断熱フォームＡを用い下地構成し、内部通気層とし、両端を小屋裏の両側の妻壁と１体形成とした一連の形状で小屋裏ゾーンＺ２と気密断熱区画し形成され、両側の妻壁及び棟に、図１（ｂ）に示す妻面換気ガラリＲＶ及び棟換気口Ｍの常時開口の自然開放通気機器が基本常設機能として附設構成される。
【００４０】
さらに又、屋根裏ゾーンＺ１を構成する屋根断熱通気構造ＹＤは、図４（ａ）・（ｂ）、図５（ａ）・（ｂ）に示すように専用ゾーン別通気構造で、常時開放通気の専用ゾーンの屋根裏ゾーンＺ１として構成される屋根断熱通気構造ＹＤが、図４（ａ）・（ｂ）の異なる屋根の通気形態と、図５（ａ）・（ｂ）の異なる屋根の通気構造形態の組み合わせ選択施工で構成されることを示すもので、施工する外壁Уの通気構法による施工別屋根通気形態と屋根の断熱通気の施工別通気構造形態の組み合わせより構成される屋根断熱通気構造ＹＤであって、図４（ａ）及び（ｂ）に示すように、屋根断熱通気構造ＹＤの常時開口の自然開放通気機器の軒天換気口Ｎｇからの通気による外気の進入と、外壁Уの通気構法別の外壁通気路Ｖ２２を経過する進入した外気の通気形態の如何による屋根通気形態と、図５（ａ）及び（ｂ）に示すように、屋根下葺材Ｎと小屋裏を屋根断熱フォームＡで気密断熱区画し、屋根通気層Ｖ１を形成すべく、屋根断熱施工別の屋根通気構造形態があり、組み合わせ構成される。
【００４１】
図４（ａ）に示すように、屋根裏ゾーンＺ１の屋根断熱通気構造ＹＤの屋根の通気形態が、外壁の施工を軒天通過型の通気構法ｋ１とし、軒天通気・外壁通気を共に伴う場合の屋根の通気形態をＡ１とし、又、図４（ｂ）に示すように、外壁Уの施工を軒天不通過型の通気構法ｋ２とし、外壁の上方を開放通気の状態とし、外壁の通気を伴わない、軒天通気のみの場合をＡ２とし、屋根の通気形態がＡ１又はＡ２から成る、いずれも屋根通気層Ｖ１の通気路Ｖ１１を気流ｇ１が通過する常時開放通気としての共通性をもつ屋根断熱通気構造ＹＤである。
【００４２】
又、図５（ａ）に示すように、屋根断熱通気構造ＹＤの屋根の通気構造形態で、屋根の気密断熱施工を、一定の厚さの板状の屋根断熱フォームＡを垂木下の母屋間気密断熱施工とし、垂木間を通気層とし、屋根下葺材Ｎと屋根通気層Ｖ１を形成する屋根の通気構造形態をＢ１とし、又、図５（ｂ）に示すように、一定の厚さの板状の屋根断熱フォームＡを垂木間又は垂木間と垂木上にも密接施工する場合の、いずれかの通気下地を伴う気密断熱施工とし、屋根下葺材Ｎと屋根通気層Ｖ１を形成する場合をＢ２とし、屋根の通気構造形態がＢ１又はＢ２から成り、いずれも屋根通気層Ｖ１を形成し、断熱通気構造としての共通性をもつ屋根断熱通気構造ＹＤであり、屋根裏ゾーンＺ１を構成する屋根断熱通気構造ＹＤが、屋根の通気形態Ａ１又はＡ2と、屋根の通気構造形態Ｂ1又はＢ2の組み合わせ選択施工として構成される。
【００４３】
さらに屋根裏ゾーンＺ１の図４（ａ）及び図６（ａ）の場合の、夏をＳ、冬をＷとし、夏、冬期間を例として、外壁Уの施工を軒天通過型の通気構法ｋ１とした軒天通気及び外壁通気を伴う屋根の通気形態Ａ１の場合の屋根断熱通気構造ＹＤの屋根裏ゾーンＺ１であり、同常時開放通気の屋根裏ゾーンＺ１の図１の基本常設機能の通気及び外壁の通気による気流の進入及び排出の工程で、周囲外壁Уと外壁の透湿シートＴ０の間で形成される外壁通気層Ｖ２の下方と屋根裏ゾーンＺ１の常時開口の自然開放通気機器である図１（ｂ）の軒天換気口Ｎｇと棟部常時通気専用経路Ｚ１１の妻面ガラリＲＶ及び棟換気口Ｍが常時連通で常時開放通気の状態であり、夏、冬期間を問わず常時同外壁Уの下方より進入する外気Ｇが同通気層Ｖ２内の夏の太陽Ｓ１の副射熱を伴う熱気あるいは冬の湿気を含み、
上昇気流ｇ０として同通気層Ｖ２の通気路Ｖ２２を経過し、軒天換気口Ｎｇより進入する外気Ｇと合流し、上昇気流ｇ１として屋根通気層Ｖ１の通気路Ｖ１１を経過し、棟部常時通気専用経路Ｚ１１内に進入し図８に示す同両側妻壁に附設された妻面換気ガラリＲＶと棟換気口Ｍにより通気・排出され又、同常時通気専用経路Ｚ１１内は両側妻壁の同妻面換気ガラリＲＶ及び同棟換気口Ｍによる常時開放通気の状態であり、常時直接外気Ｇの進入及び排出が連携で行われている。（図６（ａ−３）、図９参照）
【００４４】
又、さらに図４（ｂ）及び図７（ａ）の場合の夏をＳ、冬をＷとし、夏、冬期間を例として、外壁Уの施工を軒天不通過型の通気構法ｋ２とした、外壁に上方を開放通気の状態の、外壁の通気を伴わない軒天通気のみの屋根の通気形態Ａ２の場合の屋根断熱通気構造ＹＤの屋根裏ゾーンＺ１であり、常時開放通気の屋根裏ゾーンＺ１の基本常設機能の通気による気流の進入及び排出の工程と外壁通気の工程で、
外壁の通気として、周囲外壁Уと透湿シートＴ０の間で形成される外壁通気層Ｖ２の下部及び上部が開放状態の常時開放通気の状態であって、同通気層Ｖ２下部より進入する外気Ｇが、同通気層Ｖ２内の通気路Ｖ２２を通過し、開放通気状態の外壁上部より直に排出される単純循環の気流の進入及び排出が行われているもので、同通気層Ｖ２内に熱気、湿気が滞ることがなく、又、屋根裏ゾーンＺ１の常時開口の自然開放通気機器の基本常設機能の図１（ｂ）の軒天換気口Ｎｇと棟部常時通気専用経路Ｚ１１の妻面換気ガラリＲＶ及び棟換気口Ｍが常時連通で常時開放通気の状態であり、夏、冬期を問わず、常時軒天換気口より進入する外気Ｇが、屋根断熱通気構造ＹＤの屋根通気層Ｖ１へ進入し、同通気層内の太陽Ｓ１の副射熱を含んだ熱気あるいは冬期間の湿気を伴う上昇気流ｇ１として同通気層Ｖ１の通気路Ｖ１１を経過し、棟部常時通気専用経路Ｚ１１内に進入し、軒天換気口Ｎｇと通気状態の同両側妻壁に附設された妻面換気ガラリＲＶと棟換気口Ｍにて、通気排出され、又、同常時通気専用経路Ｚ１１内は同両側妻壁の換気ガラリＲＶ及び棟換気口Ｍが常時通気状態であり常時直接外気Ｇの進入・排出が行われている。（図７（ａ−３）参照）

【００４５】
このように本実施例１の屋根裏ゾーンＺ１の形成において通気及び通気制御の専用ゾーンと気密断熱区画し、双方の干渉をなくし、常時開放通気の屋根通気層とした上でさらに、屋根棟部に同通気層と一体形成の通気・排出専用の一連の経路の棟部常時通気専用経路を構成し、棟換気口のみならず、両妻壁にも自然開放通気機器を附設することで、軒天通気あるいは外壁通気を含み、より通気性を高めることになり、夏の屋根又は外壁を含む副射熱の排出拡大と、冬の温度差による外壁の通気層内の壁体内結露の防止にもつながり、又、積雪による棟換気口がたとえ閉ざされたとしても通気性による弊害を招くこともない。
【００４６】
一方、通気及び通気制御の専用ゾーンとする小屋裏ゾーンＺ２は図２（ａ´）及び（ｂ´）に示すように、屋根断熱通気構造ＹＤの小屋裏面の一定の厚さの板状の屋根断熱フォームＡと一定の厚さの板状の断熱フォームＣを密接した室内天井または図３（ａ）に示す天井Ｃ０で区画され、小屋裏断熱通気構造ＫＤ又は、小屋裏通気構造ＫＤ１で、同ゾーンＺ２を通気層とし、又、同ゾーンＺ２と連結状態の外壁に面する内壁に、一定の厚さの板状の断熱フォームＢを施した内壁通気構造体ＷＺの内壁断熱通気構造ＷＤの内壁通気層Ｖ３と常時連通の状態であり、さらに、同ゾーンＺ２の小屋裏の両側妻壁に、上下一定の温度を定め開閉する、温度差利用の熱感知式形状記憶合金使用とする自動開閉式の自然通気制御機器の換気ガラリＴ１が基本常設機能として附設構成されている。（図１（ｂ´）、図８参照）
【００４７】
又、通気及び通気制御の専用ゾーンで小屋裏ゾーンＺ２と連携で通気及び通気制御を行う床下ゾーンＺ３は図２（ａ´）及び（ｂ´）に示すように、床下地断熱施工の一定の厚さの板状の床断熱フォームＤと、一体土間的仕様で防湿シートｆ０による防湿施工のベタ基礎ベースＦ及び一定の厚さの板状の基礎断熱フォームＤ´で内側断熱施工された立ち上り断熱布基礎Ｆ１にて断熱区画された床下断熱通気構造ＵＤで、同ゾーンＺ３を通気層とし、又、小屋裏ゾーンＺ２と連結し、一連の通気層として形成される外壁に面する内壁通気構造体ＷＺの内壁断熱通気構造ＷＤの内壁通気層Ｖ３と常時連通の連結状態であり、さらに同ゾーンＺ３の立ち上り断熱布基礎Ｆ１に、自動開閉式で自然通気制御機器の、小屋裏ゾーンＺ２と同型式の温度差利用の熱感知式形状記憶合金使用の床下換気口Ｔ１が基本常設機能として附設構成されている。（図１（ｂ´）、図９参照）
【００４８】
一方、図４（ａ）及び図６（ａ）の通気及び通気制御の専用ゾーンの小屋裏ゾーンＺ２と床下ゾーンＺ３の図１（ｂ´）の基本常設機能による通気及び通気制御の工程で、小屋裏の通気及び通気制御する小屋裏ゾーンＺ２及び床下の通気及び通気制御する床下ゾーンＺ３は常時連通状態で、両ゾーンの基本常設機能の上下一定の温度を定め開閉する、温度差利用の熱感知式形状記憶合金使用の自動開閉式の換気ガラリ及び床下換気口のＴ１による通気及び通気制御は、図４（ｃ）の２に示すように外気温が一定以上の場合同時開口し、通気状態となり、両ゾーン内への直接外気Ｇの進入と、通気・排出を促し、又、床下ゾーンＺ３に進入し上昇する気流ｇ２が連通する内壁通気層Ｖ３の通気路Ｖ３３を経過し、気流ｇ３として小屋根ゾーンＺ２内に進入し、同ゾーンＺ２内の気流と合流した気流ｇ４として同ゾーンＺ２の両側妻壁に附設された同自動開閉式の換気ガラリＴ１により通気・排出され、又、図４（ｃ）の１に示すように一定温度以下で同時閉鎖され、外気の進入を自動通気制御し、連携して通気及び通気制御を行なう小屋裏ゾーンＺ２と床下ゾーンＺ３であり、又常時開放通気の専用ゾーンの屋根裏ゾーンＺ１と同小屋裏ゾーンＺ２とは気密断熱区画され、互いの干渉による弊害もなく、屋根裏ゾーンＺ１は夏、冬期間を問わず外壁通気層を含み常時開放通気の状態で、一方、通気及び通気制御を行なう小屋裏ゾーンＺ２及び床下ゾーンＺ３は、一定温度以下となる冬期間は連携で通気制御され、又、連結状態の内壁通気構造体ＷＺを含み一連の室内保温状態である。（図６（ａ−１），（ａ−２），図９参照）
【００４９】
さらに、小屋裏ゾーンＺ２と床下ゾーンＺ３の基本常設機能の図１（ｂ´）による通気及び通気制御の工程で、図６（ａ）あるいは図７（ａ）に示す夏をＳ、冬をＷとし、夏、冬期間の例として、夏期間Ｓの太陽Ｓ１の直射日光Ｅを受ける屋根及び外壁を含み外気温が一定温度以上と高い場合、小屋裏ゾーンＺ２及び床下ゾーンＺ３に附設される図１（ｂ´）の温度差利用の熱感知式形状記憶合金使用の自動開閉式の換気ガラリ及び床下換気口のＴ１−０とする図４（ｃ）の２の開口状態であり、両ゾーン内の通気による直接外気Ｇの進入と排出が図６（ａ−１），（ａ−２）あるいは図７（ａ−１），（ａ−２）に示すように行なわれ、又、床下ゾーンＺ３の立ち上り断熱布基礎Ｆ１に附設される同床下換気口Ｔ１を介し進入する外気Ｇが直接又は同ゾーン内の床下の冷気を含み上昇気流のｇ２として内壁断熱通気構造ＷＤの通気層Ｖ３内へ進入し、同通気層Ｖ３内の熱気あるいは温度差による湿気を伴ない上昇気流のｇ３として連通する小屋裏ゾーンＺ２内に進入し、さらに同ゾーンＺ２内の熱気を伴う気流のｇ４あるいは同ゾーンＺ２内に直接進入する外気Ｇと合流の気流のｇ４として両側妻壁に附設され自動開口状態の換気ガラリＴ１及び床下換気口Ｔ１との連携の通気状態にて排出され、又、屋根裏ゾーンＺ１の常時開放通気と連携の自然通気による気流の進入と通気・排出が行なわれる二重の通気・排出であり、構造体内の通気性を高め、さらにはその通気効果による夏の室内の冷房効果を得るものである（図９参照）。
【００５０】
次に図１０に示すように、実施例１の屋根の形状が四方傾斜状態の場合の通気専用棟ＷＴを附設構成し、屋根断熱通気構造ＹＤと一体形成する屋根裏ゾーンＺ１の通気形態及び通気構造形態、さらに通気及び通気制御の専用ゾーンの小屋裏ゾーンＺ２の通気及び通気制御の形態の構成にあたり、図１０、図１２（ａ）・（ｂ）に示すように、前記屋根裏ゾーンＺ１の棟部常時通気専用経路Ｚ１１が、屋根断熱通気構造ＹＤと四方一体形状で形成され、通気専用棟ＷＴを附設構成し棟部常時通気専用経路Ｚ１２として組み合わせ構成される屋根裏ゾーンＺ１であり、同通気専用棟ＷＴは屋根の長辺方向又は短辺方向の傾斜面に屋根棟及び妻壁が構成され、棟を中心とし、両側に平行して構築し、底面が平面状の一定の幅 e２で最高の高さｈ２の四方の屋根通気層Ｖ１を形成する屋根断熱通気構造ＹＤと連通とした一体形状で形成され、さらに、両端部を両側の通気専用棟ＷＴの妻壁と一体形成とした一連の形状で、長さＬとし、棟を含む内部空洞の通気層とし、周囲を一定の厚さの板状の断熱フォームＡで小屋裏ゾーンＺ２と気密断熱区画された一体箱状の棟部常時通気専用経路Ｚ１２として構成される。
【００５１】
又、図１１（ａ）、図１２（ａ）に示すように軒天及び同棟部常時通気専用経路Ｚ１２に前記同様の基本常設機能とする軒天換気口Ｎｇ、妻面換気ガラリＲＶ及び棟換気口Ｍの常時開口の自然開放通気機器が附設構成され、同軒天換気口Ｎｇ及び外壁通気層Ｖ２より進入する外気Ｇ又は上昇気流ｇ０が屋根通気層Ｖ１の通気層Ｖ１１を経過し、同棟部常時通気専用経路Ｚ１２の換気ガラリＲＶ及び棟換気口Ｍの連携により通気・排出される。（図１１（ｂ）参照）
【００５２】
又、小屋裏ゾーンＺ２の通気・排出と通気制御は図１１（ａ）、図１２（ａ）に示すように、棟部常時通気専用経路Ｚ１２を媒介し行われ、同棟部常時通気専用経路Ｚ１２の左右の最高の高さｈ２で周囲小屋裏ゾーンＺ２と周囲気密断熱区画された立ち上り壁部分に、小屋裏ゾーンＺ２の通気媒介とする自動開閉式の自然通気制御機器の換気ガラリＴ１あるいは自動開閉する開閉専用の電気式シャッターＫ４のいずれかが附設構成される。（図１１（ｂ´）参照）
【００５３】
次いで、図１２（ｂ）に示すように、夏をＳ、冬をＷとし、夏、冬期間を例に、専用ゾーン別通気構造の通気層内の通気による気流の進入及び排出の工程及び通気制御の状態を屋根の通気形態Ａ１として示す比較対称の全体通気層断面図をもとに詳しく説明する。なお、図１２（ｃ）は自動開閉式の自然通気制御機器Ｔ１の開閉状態を示すもので、１のＴ１−Ｃは外気温が一定温度以下で閉鎖の状態を示し、２のＴ１−０は一定温度以上で開口状態を示す。
【００５４】
常時開放通気の屋根裏ゾーンＺ１の通気による通気層内の気流の進入及び排出の工程で、周囲外壁Уの通気層Ｖ２の下方と、屋根裏ゾーンＺ１の常時開口で開放通気の基本常設機能図１１（ｂ）の軒天換気口Ｎｇ、妻面換気ガラリＲＶ及び棟換気口Ｍが夏、冬を問わず常時連通で常時開放通気の状態であり、同外壁Уの通気層Ｖ２の下方より外気Ｇが進入し、同通気層Ｖ２内の夏の太陽Ｓ１の輻射熱を伴う熱気、あるいは冬の湿気を含んだ上昇気流ｇ０として同通気層Ｖ２の通気路Ｖ２２を経過し、軒天換気口Ｎｇより進入する外気Ｇと合流の上昇気流ｇ１として屋根通気層Ｖ１の通気路Ｖ１１を経過し、棟部常時通気専用経路Ｚ１２内に進入し、同通気専用経路Ｚ１２の両妻壁に附設された妻面換気ガラリＲＶ及び同棟換気口Ｍより気流ｇ１又は、夏の外気温が一定温度以上の場合の、同通気専用経路Ｚ１２内へ小屋裏ゾーンＺ２より進入する気流ｇ４と合流の気流ｇ５として通気・排出され、又、同通気専用経路Ｚ１２内は、両側の妻壁の同妻面換気ガラリＲＶ及び同棟換気口Ｍによる常時開放通気の状態であり、常時直接外気Ｇの進入及び排出が連携で行われている。（図１２（ｂ）参照）
【００５５】
一方、通気及び通気制御の専用ゾーンである小屋裏ゾーンＺ２と床下ゾーンＺ３の通気及び通気制御の工程は外気温が一定温度以上と高い夏の場合を例に、床下ゾーンＺ３に附設される図１１（ｂ´）の温度差利用の熱感知式形状記憶合金使用の自動開閉式の床下換気口Ｔ１が図１２（ｃ）の２の開口状態となり、さらに、小屋裏ゾーンＺ２の通気媒介とする棟部常時通気専用経路Ｚ１２の同小屋裏ゾーンＺ２と気密断熱区画された同立ち上り壁に附設構成された同型式の換気ガラリＴ１、あるいは図１１（ｂ´）の開閉専用の電気式シャッターＫ４が同時開口し、通気状態となり、外気Ｇが開口状態の床下換気口Ｔ１を介し、同ゾーンＺ３内へ進入し、同ゾーン内の床下の冷気を伴う上昇気流ｇ２として内壁通気層Ｖ３内へ進入し、さらに、同通気層Ｖ３の熱気あるいは湿気を伴う上昇気流ｇ３として同通気層Ｖ３の通気路Ｖ３３を経過し小屋裏ゾーンＺ２内へ進入し、附設構成された通気媒介の換気ガラリＴ１あるいは電気式シャッターＫ４を介し屋根裏ゾーンＺ１の棟部常時通気専用経路Ｚ１２内へ同小屋裏ゾーンＺ２内の淀んだ空気、熱気、あるいは湿気等を伴う気流ｇ４として進入し、同通気専用経路Ｚ１２内の基本常設機能の両側妻壁の妻面換気ガラリＲＶ及び棟換気口Ｍの自然開放通気機器によって同通気専用経路内へ同時進入する、屋根通気路Ｖ１１を経過した上昇気流ｇ１と合流の気流ｇ５として通気・排出される。（図１２（ｂ）参照）
【００５６】
又、外気温が一定温度以下となる冬の場合を例に、床下ゾーンＺ３及び小屋裏ゾーンＺ２の通気媒介の同自動開閉式の床下換気口及び同型式の換気ガラリＴ１あるいは開閉専用の電気式シャッターＫ４が同時に（ｃ）の１の閉鎖状態となり、自動通気制御され、床下ゾーンＺ３及び小屋裏ゾーンＺ２が無通気状態となり、周囲外壁通気と屋根通気状態を維持し、床、壁、小屋裏による室内保温状態が形成されるのである。（図１２（ｂ）参照）
【００５７】
このように屋根の形状が四方傾斜状態の場合であっても通気専用棟ＷＴを附設し棟部常時通気専用経路Ｚ１２として構成することで、常時開放通気の専用ゾーンと通気及び通気制御の専用ゾーンを分別することができる実施例１の場合の例であり、さらに小屋裏ゾーンＺ２の占用面積あるいは同構造体規模に応じた通気効果を得る場合、同専用経路Ｚ１２の最高の高さｈ２として形成される立ち上り区画壁の両側を取り付け面とし、一定多数の自動開閉式の自然通気制御機器の附設構成も可能である。（図１１（ａ）、図１２（ａ）参照）
【００５８】
次にこれらの専用ゾーン別通気構造から構成され、専用ゾーン別基本常設機能を用い、通気及び通気制御を行う実施例１の断熱通気構造体１の専用ゾーン別ハイブリッド通気及び通気制御の方法について、図１３〜図２１を参照しながら詳しく説明する。
なお図１３（ｃ）、図１９（ｃ）は自動開閉式の自然通気制御機器Ｔ１の開閉図であり、以下各図、夏をＳ、冬をＷとし夏、冬期間を例に、１のＴ１−Ｃは一定温度以下で閉鎖状態を示し、２のＴ１−０は一定温度以上で開口状態を示すものである。
【００５９】
前記図１（ａ）の常時開放通気の専用ゾーンの屋根裏ゾーンＺ１と通気及び通気制御の専用ゾーンの小屋裏ゾーンＺ２及び床下ゾーンＺ３の、又、両ゾーンの連通による連携の通気及び通気制御とする断熱通気構造体１の専用ゾーン別ハイブリッド通気及び通気制御を行うにあたり、
図１３（ｂ）に示す通気及び通気制御に用いる、屋根裏ゾーンＺ１の常時開口の自然開放通気機器と、小屋裏ゾーンＺ２及び床下ゾーンＺ３の自動開閉式の自然通気制御機器の専用ゾーン別基本常設機能に補助として図１３（ｂ´）に示すソーラーエネルギーを主とする設定温度、設定湿度を感知して自動運転・停止する自動制御の換気ファンを附設機能とし、又、同換気ファンを自動制御する、太陽光発電を供給する装置の太陽電池パネルＥ０を設置し、ソーラーエネルギーを主として自動運転・停止を自動制御するコントローラＣＲ、温度スイッチＴＳ、湿度スイッチＨＳ及び連動運転とし夜・雨天時の家庭用電源の自動切換のリレーユニットＲＵから構成される制御装置を専用ゾーン別とし、屋根裏ゾーンＺ１に附設される換気ファンＫ１と制御装置ＹＣ、小屋裏ゾーンＺ２及び間近に連結される内壁通気構造体ＷＺの上部に附設される換気ファンＫ２と同一制御装置ＫＣ、さらに床下ゾーンＺ３に附設される床下専用換気ファンＫ３と制御装置ＵＣとして附設し、専用ゾーン別ハイブリッド通気及び通気制御機能として構成する。（図１４（ａ）・（ａ´）、図１６（ａ）・（ｂ）・（ｂ´）参照）
【００６０】
図１４（ａ）・（ｂ）、図１５（ａ−３）・（ｂ）に示すように、
屋根裏ゾーンＺ１のハイブリッド通気機能ＫＣ−１とし、軒天換気口Ｎｇ、妻面換気ガラリＲＶ及び棟換気口Ｍの基本常設機能に自動制御の換気ファンＫ１を附設構成し混用する、通気促進機能であって、屋根裏ゾーンＺ１の棟部常時通気専用経路Ｚ１１の両側の妻面壁に妻面換気ガラリＲＶ及び棟に棟換気口Ｍが常設され、同通気専用経路Ｚ１１内の常時直接外気Ｇの進入・通気・排出を促し、又軒天換気口Ｎｇ又は外壁通気層Ｖ２より進入する外気Ｇまたは気流ｇ１が屋根通気層Ｖ１の通気路Ｖ１１を合流して経過し、屋根通気層Ｖ１内の熱気、湿気を含み同通気専用経路Ｚ１１内に進入した合流の上昇気流ｇ１の排出を促すものであって、外部の自然気流の進入を主とする通気・排出であり、又、補助として自動制御の換気ファンＫ１を同通気専用経路の両側妻面壁のいずれか一方に附設し、同通気専用経路Ｚ１１内の設定温度、設定湿度を温度センサーＴＣ、湿度センサーＨＣが感知し同通気専用経路Ｚ１１内の中央よりパイプダクトＰ１にて吸引し、自動運転で通気及び気流の排出を強制的に行い、設定以下で自動停止するもので、屋根裏ゾーンＺ１内の常時通気の状態と、促進を計り、且つ外気流の状態にとらわれず、自然と強制の両用の機能を混用し、通気を促進することを特徴とする屋根裏ゾーンＺ１のハイブリッド通気促進の方法である。（図１５（ａ）、図１７参照）
【００６１】
又、図１４（ａ´）・（ｂ´）、図１５（ａ−２）・（ｂ）に示すように通気及び通気制御の専用ゾーンの小屋裏ゾーンＺ２のハイブリッド通気及び通気制御機器ＫＣ−２とし、自動開閉式の自然通気制御機器の上下一定の温度を定め開閉する、温度差利用の熱感知式形状記憶合金使用の換気ガラリＴ１の基本常設機能に自動制御の換気ファンＫ２を附設構成し、混用する通気及び通気制御機能であって、同小屋裏ゾーンＺ２の両側の妻壁に基本常設機能の自動開閉式の自然通気制御機器の換気ガラリＴ１が常設され、連通する床下ゾーンＺ３の同自動開閉式の自然通気制御機器の床下換気口Ｔ１と連携の通気及び通気制御を行うもので、自然気流の進入による通気を主とし、図１５（ａ）に示すように、夏をＳ、冬をＷとし、外気温が一定温度以上の場合開口し、同ゾーンＺ２内に直接外気Ｇの進入と通気、排出を促し、連通状態の床下ゾーンＺ３より上昇する気流ｇ２が内壁通気構造体ＷＺの通気層Ｖ３の通気路Ｖ３３を経過し上昇気流ｇ３として小屋裏ゾーンＺ２内に進入、経過し、開放状態の同換気ガラリＴ１が同ゾーンＺ２内の気流と合流の気流ｇ４の排出を促すもので、又一定の温度以下の場合閉鎖し、外気Ｇの進入を自動通気制御する。（図１６（ａ）参照）
【００６２】
又、図１４（ａ）、図１５（ａ−２）・（ｂ）に示すように補助として小屋裏ゾーンＺ２内の設定温度、設定湿度を温度センサーＴＣ、湿度センサーＨＣが感知し、同ゾーンＺ２内の中央よりパイプダクトＰ２にて吸引する自動制御の換気ファンＫ２が同ゾーンＺ２の両側妻壁のいずれか一方に附設し、又、近接の連結される外壁周囲の内壁通気構造体ＷＺの上部に附設する同型式の換気ファンＫ２が同通気構造体ＷＺの通気層Ｖ３内の設定温度、設定湿度を温度センサーＴＣ、湿度センサーＨＣにて感知し自動運転し、同通気層Ｖ３内の通気及び気流の排出を強制的に行い、設定以下で自動停止するもので、一定の温度、湿度の上昇を自動制御し、且つ、外気温が一定温度以下で閉じ、外気の進入を自動通気制御する、自然と強制の両用の機能を混用し、通気を促進し、又、通気制御を行う小屋裏ゾーンＺ２のハイブリッド通気及び通気制御の方法である。（図１７参照）
【００６３】
さらに図１４（ａ´）・（ｂ´）、図１５（ａ−１）・（ｂ）に示すように
床下ゾーンＺ３のハイブリッド通気及び通気制御機能ＫＣ−３とし上記小屋裏ゾーンＺ２同様、自動開閉式の自然通気制御機器の温度差利用の熱感知式形状記憶合金使用の床下換気口Ｔ１の基本常設機能に自動制御の床下専用換気ファンＫ３を附設構成し、混用する通気制御機能であって、立ち上り断熱布基礎Ｆ１の周囲に一定の数量を定め常設する、基本常設機能の自動開閉式の自然通気制御機器の床下換気口Ｔ１が連通する小屋裏ゾーンＺ２の同自動開閉式の自然通気制御機器の換気ガラリＴ１と連携の通気及び通気制御を行うもので図１５（ａ）に示すように、夏をＳ、冬をＷとし、外気温が一定温度以上の場合開口し、同ゾーンＺ３内に直接外気Ｇの進入と通気、排出を促し、又、同ゾーンＺ３内の進入経過する気流が上昇気流ｇ２として、連通する内壁通気構造体ＷＺの通気層Ｖ３の通気路Ｖ３３を経過し、上部の小屋裏ゾーンＺ２へ上昇気流ｇ３として導かれる、連携の通気形態であり、又、一定の温度以下の場合閉鎖し、外気Ｇの進入を自動通気制御する。（図１７参照）
【００６４】
図１４（ａ´）、図１５（ａ−１）・（ｂ）に示すように、補助として、
床下ゾーンＺ３の立ち上り断熱布基礎Ｆ１に一定の数量を定め附設する自動制御の床下専用換気ファンＫ３は、当該床下ゾーンＺ３内の湿度状況対応とするもので、設定湿度を湿度センサーＨＣが感知し同ゾーンＺ３内の中央よりパイプダクトＰ３にて吸引し、自動運転で通気・排出を強制的に行い、設定以下で自動停止するもので、一定の湿度の上昇を自動制御し、又は上下一定の外気温で開閉し一定の温度以下で外気の進入を自動閉鎖する、自然と強制の両用の機能を混用し、通気を促進し、又、通気制御を行うことを特徴とする床下ゾーンＺ３のハイブリッド通気及び通気制御の方法である。（図１７参照）
【００６５】
次に図１８（ａ）及び（ｂ）に示すように、
屋根の形状が四方傾斜状態の場合の専用ゾーン別ハイブリッド通気及び通気制御をするにあたり、屋根裏ゾーンＺ１に位置する通気及び通気制御の両機能が小屋裏ゾーンＺ２の通気及び通気制御を媒介し、又、同機能が両ゾーンに共用する、常時開口の自然開放通気機器と自動開閉式の自然通気制御機器を基本常設機能とした自然気流対象機能と、ソーラーエネルギーを主とし、自動制御装置を用いた自動制御の換気ファンの両機能を混用するハイブリッド通気及び通気制御機能ＫＣ−４又は、ハイブリッド通気及び通気制御機能ＫＣ−５から構成されることを特徴とする、屋根裏ゾーンＺ１と小屋裏ゾーンＺ２共用のハイブリッド通気及び通気制御の方法であって、常時通気の専用ゾーンとする屋根裏ゾーンＺ１、通気及び通気制御の専用ゾーンとする小屋裏ゾーンＺ２の専用ゾーン別通気及び通気制御とすべく、
当該屋根裏ゾーンＺ１の基本常設機能の常時開口の自然開放通気機器以外に、図１９（ａ）に示すように小屋裏ゾーンＺ２の屋根裏ゾーンＺ１への取り込み通気媒介とする通気及び通気制御の自動開閉式の自然通気制御機器又は開閉専用の電気式シャッターＫ４を附設した屋根裏ゾーンＺ１の基本常設機能とし、補助してソーラーエネルギーを主とする設定温度、設定湿度を温度センサーＴＣ、湿度センサーＨＣが感知し、自動運転・停止する自動制御の換気ファンを附設機能とし、混用して通気及び通気制御を行う、ハイブリッド通気及び通気制御を特徴としたものであり、なお、床下ゾーンＺ３のＫＣ−３の機能は前記と同様である。
【００６６】
図１７〜図２１に示す、換気ファンを自動制御する制御装置が、太陽光発電を供給する装置の太陽電池パネルＥＯを設置し、ソーラーエネルギーを主として自動運転・停止を自動制御する、コントローラーＣＲ、温度スイッチＴＳ、湿度スイッチＨＳ及び連動運転と夜・雨天時の家庭用電源の自動切換のリレーユニットＲＵから構成され、ハイブリッド通気及び通気制御機能ＫＣ−４とする場合、屋根裏ゾーンＺ１の棟部常時通気専用経路Ｚ１２に附設される換気ファンＫ１の制御装置ＹＣ、及びハイブリッド通気及び通気制御機能ＫＣ−５とする場合はさらに、小屋裏ゾーンＺ２専用の換気ファンＫ２の制御装置ＫＣとして附設される。
【００６７】
又、図１９（ａ），（ｂ）及び図１８（ｂ）に示すように、ハイブリッド通気及び通気制御機能ＫＣ−４として構成される場合の屋根裏ゾーンＺ１に位置し、同屋根裏ゾーンＺ１及び小屋裏ゾーンＺ２の専用ゾーン別通気及び通気制御を行なうにあたり、屋根裏ゾーンＺ１の常時開口の自然開放通気機器と、小屋裏ゾーンＺ２の通気及び通気制御を行なう屋根裏ゾーンＺ１の棟部常時通気専用経路Ｚ１２に附設される同通気専用経路Ｚ１２と小屋裏ゾーンＺ２の通気媒介の自動開閉式の自然通気制御機器Ｔ１、あるいはＫ４を屋根裏ゾーンＺ１の基本常設機能とし、さらに補助としてソーラーエネルギーを主とし、設定温度、設定湿度を感知し、自動運転・停止する自動制御の換気ファンＫ１を同通気専用経路Ｚ１２内のいずれか一方に附設し、且つ、同換気ファンＫ１のパイプダクトＰ１を分岐し、一方は同通気専用経路Ｚ１２内の中央に、一方は貫通挿入し小屋裏ゾーンＺ２内へ装着し、同ゾーンＺ２と屋根裏ゾーンＺ１を同時に通気・換気するものであり、両ゾーンの通気及び通気制御を自然と強制の両機能を混用し行なう専用ゾーン別ハイブリッド通気及び通気制御機能ＫＣ−４であって、両ゾーン共用の通気及び通気制御機能である。（図１８（ａ）参照）
【００６８】
ハイブリッド通気及び通気制御機能ＫＣ−４とする場合で、図１８（ｂ´）に示すように、まず、前記の通常の屋根裏ゾーンＺ１の基本常設機能のみによる気流の進入及び排出は、同屋根裏ゾーンＺ１の棟部常時通気専用経路Ｚ１２の両側の通気専用棟ＷＴの妻壁に常設する、常時開口の自然開放通気機器の換気ガラリＲＶと棟の棟換気口Ｍは、連携する通気・排出機能で、同通気専用経路Ｚ１２内の常時直接外気Ｇの進入、通気・排出を促し、又は軒天換気口Ｎｇ又は外壁通気層Ｖ２より進入する外気Ｇ又は上昇気流ｇ０が屋根通気路Ｖ１１を合流して経過し、同通気専用経路Ｚ１２内に進入した合流の上昇気流ｇ１の通気・排出を促すものである。
【００６９】
次に図１９（ａ）及び（ｂ）さらに図１８（ｂ）に示すように、小屋裏ゾーンＺ２の通気及び通気制御が、同小屋裏ゾーンＺ２と気密断熱区画された同通気専用経路Ｚ１２の最高の高さｈ２とした部分に、同小屋裏ゾーンＺ２と同通気専用経路Ｚ１２との通気媒介とする自動開閉式で、温度差利用の熱感知式形状記憶合金使用の自然通気制御機器の換気ガラリＴ１もしくは、自動開閉式の開閉専用電気式シャッターＫ４のいずれかを最低１台附設するものとし、同機能を屋根裏ゾーンＺ１の基本常設機能に附設構成とするものであり、一定の温度以上の場合開口し、小屋裏ゾーンＺ２と連通する床下ゾーンＺ３に進入した外気Ｇが上昇気流ｇ２として連通の内壁通気構造体ＷＺの通気路Ｖ３３を上昇気流ｇ３として経過し、同ゾーンＺ２内に進入し、経過し、さらに気流ｇ４として開口状態の自動開閉式の自然通気制御機器を媒介し、連通状態となった同通気専用経路Ｚ１２内に進入し、同専用経路内に進入する上昇気流ｇ１と合流しｇ５として常設機能の換気ガラリＲＶ又は棟換気口Ｍの連携により通気・排出され、又、一定温度以下で閉鎖し、同通気専用経路Ｚ１２内の気流及び同専用経路内に進入する外気Ｇの同小屋裏ゾーンＺ２内への進入を自動通気制御するものである。
【００７０】
図１９（ｂ）に示すように、上記屋根裏ゾーンＺ１と小屋裏ゾーンＺ２をハイブリッド通気及び通気制御する方法の一つのＫＣ−４は、上記基本常設機能に補助としてソーラーエネルギーを主とし、附設する同通気専用経路Ｚ１２内の自動制御の換気ファンＫ１のパイプダクトＰ１を分岐し、一方は同通気専用経路Ｚ１２内の中央に、一方は貫通挿入し、小屋裏ゾーンＺ２内へ装着し、両ゾーンの設定温度、設定湿度を温度センサーＴＣ、湿度センサーＨＣが感知し自動運転し、通気・排出され、又、設定以下で停止するもので、両ゾーンの通気及び通気制御を自然と強制の両機能を混用し、専用ゾーン別通気及び通気制御を行なうハイブリット通気及び通気制御機能ＫＣ−４であり、なお床下ゾーンＺ３のＫＣ−３の機能は前記と同様である。
【００７１】
又さらに、図２０（ａ）及び（ｂ）、図２１（ｂ）に示すように、屋根裏ゾーンＺ１及び小屋裏ゾーンＺ２のハイブリッド通気及び通気制御のもうひとつの方法で、屋根裏ゾーンＺ１に位置し、屋根裏ゾーンＺ１及び小屋裏ゾーンＺ２の専用ゾーン別通気及び通気制御を行うハイブリッド通気及び通気制御機能ＫＣ−５とした場合の特徴として、上記ハイブリッド通気及び通気制御機能ＫＣ−４の機能をそのままに、さらに屋根裏ゾーンＺ１へ小屋裏ゾーンＺ２専用の通気促進機能として附設する自動制御の換気ファンＫ１、同型式の小屋裏ゾーンＺ２内の設定温度、設定湿度を感知し、自動運転・停止の自動制御の換気ファンＫ２を換気ファンＫ１の附設位置と反対側へ附設し、常時通気専用経路Ｚ１２の底面を貫通挿入し、同ゾーンＺ２専用のパイプダクトＰ２を装着し、同ゾーンＺ２内に分岐配管し吸引する換気ファンＫ１と換気ファンＫ２による、自動制御の強制機能と自然機能の両機能を混用し、共用して通気を促進し、又、通気制御を行うことを特徴とする専用ゾーン別ハイブリッド通気及び通気制御機能ＫＣ−５であり、上記ハイブリッド通気及び通気制御機能ＫＣ−４同様、屋根の形状が四方傾斜状態の場合の実施例１とする断熱通気構造体１の専用ゾーン別ハイブリッド通気及び通気制御を行うにあたり、屋根裏ゾーンＺ１と小屋裏ゾーンＺ２と共用の通気及び通気制御機能を示すものである。
【００７２】
以上のように、実施例１の通気及び通気制御において、自然気流を対称とする基本常設機能に、補助としてソーラーエネルギーを主とし専用ゾーン別に設定温度、設定湿度を感知し、自動運転・停止する自動制御の換気機能を附設し、混用するハイブリッド通気及び通気制御機能とすることが自然の気流の状態による自然の影響に左右されず、常時安定した通気効果を示し、さらに任意の温度、湿度設定ができ、無風状態であっても地域環境に左右されることなく、通気性を向上させることができ、構造体内の温度差における、夏、冬期間の結露による弊害を低下することができ、又、夏の冷房効果を向上させることができ、さらに、冬期間を床、内壁、及び天井間近の小屋裏を通気制御し無通気層とし、室内を保温状態にするもので、冬の暖房効果を向上させることができる方法である。
【実施例２】
【００７３】
実施例２の断熱通気構造体１´は図２２（ａ）に示すように、常時開放通気の専用ゾーンの屋根断熱通気構造ＹＤで、一体形状の棟部常時通気専用経路Ｚ１１が形成されている屋根裏ゾーンＺ１と、通気及び通気制御の専用ゾーンとする小屋裏断熱通気構造ＫＤ又は、図３（ａ）の小屋裏断熱通気構造ＫＤ１の小屋裏ゾーンＺ２及び床下密閉ゾーンＺ４から構成され、さらに小屋裏ゾーンＺ２と連結で連通状態の内壁断熱通気構造ＷＤの内壁通気構造体ＷＺから構成されていて、常時開放通気の屋根裏ゾーンＺ１に図２２の（ｂ）に示す常時開口の自然開放通気機器の棟換気口Ｍ、妻面換気ガラリＲＶ及び軒天換気口Ｎｇと又、通気及び通気制御の専用ゾーンの小屋裏ゾーンＺ２に図２２の（ｃ）に示す、上下一定の温度を定め開閉する、温度差利用の熱感知式形状記憶合金使用とする自動開閉式の自然通気制御機器の換気ガラリＴ１と、さらに同ゾーンＺ２と連通する、外壁に面する内壁が全周一連の内壁断熱通気構造ＷＤの内壁通気構造体ＷＺに同ゾーンＺ２に附設されるのと同型式の自動開閉式の自然通気制御機器の換気ガラリＴ１と、床下密閉ゾーンＺ４に床下熱源媒介による図２２（ｂ´）の室内床用の自然開閉型換気ガラリｆｇの、専用ゾーン別基本常設機能として附設構成されている。（図２３（ａ）・（ａ´）参照）
【００７４】
又、図２２（ａ）の常時開放通気の専用ゾーンの屋根裏ゾーンＺ１と通気及び通気制御の専用ゾーンの小屋裏ゾーンＺ２の構成は、図１（ａ）に示す実施例１と同様で、屋根断熱通気構造ＹＤであり屋根の通気形態を軒天通気及び外壁通気を伴うＡ１、屋根の通気構造形態をＢ１の例とし、屋根下葺材Ｎと小屋裏とを一定の厚さの板状の断熱フォームＡを用い気密断熱区画し、屋根通気層Ｖ１を形成する屋根断熱通気構造ＹＤと、棟部常時通気専用経路Ｚ１１が左右連通し一体形成され図２２（ｂ）に示す、軒天に軒天換気口Ｎｇ、同棟部常時通気専用経路Ｚ１１の両妻壁に妻面換気ガラリＲＶ及び棟に棟換気口Ｍが附設構成され、又、通気及び通気制御の専用ゾーンＺ２の構成は、同屋根断熱通気構造ＹＤの小屋裏面の一定の厚さの板状の断熱フォームＡと、一定の厚さの板状の断熱フォームＣを密接した室内天井又は、図１（ａ）、図３（ａ）に示す天井Ｃ０で区画され、小屋裏断熱通気構造ＫＤ又は小屋裏通気構造ＫＤ１で、同ゾーンＺ２を通気層とし、又、同ゾーンＺ２と連結状態の外壁に面する内壁に、一定の厚さの板状の壁断熱フォームＢを施した内壁通気構造体ＷＺの内壁断熱通気構造ＷＤの内壁通気層Ｖ３と常時連通の状態であり、図２２（ａ）に示すように、土台Ｄ０に近接する同内壁通気層Ｖ３の取り込み部分と同ゾーンＺ２の小屋裏の両側妻壁に附設構成された自動開閉式の自然通気制御機器の換気ガラリＴ１が連携して同ゾーンＺ２内及び同通気層Ｖ３内の通気及び通気制御を行うものである。（図２２（ｃ）、図２３（ｂ）参照）
【００７５】
さらに、図２２（ａ）の床下密閉ゾーンＺ４の構成は床下へ防湿シートｆ０を施し一体土間的仕様のベタ基礎ベースＦと一定の厚さの板状の基礎断熱フォームＤ´で内壁断熱施工された立ち上り断熱布基礎Ｆ１と、床下地に断熱施工せず、床下の通気・換気をなくし、床下熱源媒介の床暖房とするもので、電熱埋設、温水配管埋設あるいは床下放熱器等の施設等であり、室内床ｆに図２２（ｂ´）の室内床用の自然開閉型換気ガラリｆｇを附設し、夏をＳ、冬をＷとし、夏、冬期間を例として、夏は床下密閉ゾーンＺ４のベタ基礎ベースＦと地中の外気温より低い地熱・コンクリートの冷熱ｃａを床用の開閉型換気ガラリｆｇを開口し室内に取り込み、冬期間は例として、ベタ基礎ベースＦを蓄熱体とする熱源埋設の場合等温熱ｗａを、同換気ガラリｆｇを開口し室内に取り込む。（図２３（ｂ）参照）
【００７６】
又、図２３（ｂ）の全体通気層断面図の夏をＳ、冬をＷとし、夏、冬期間を例として、外壁Уの施工を軒天通過型の通気構法ｋ１とした軒天通気及び外壁通気を伴う屋根の通気形態Ａ１の場合の常時開放通気の屋根裏ゾーンＺ１の通気による気流の進入及び排出の工程で、周囲外壁Уと外壁透湿シートＴ０との間で形成される外壁通気層Ｖ２の下方と、屋根裏ゾーンＺ１の常時開口の自然開放通気機器である図２２（ｂ）の軒天換気口Ｎｇと棟部常時通気専用経路Ｚ１１の妻面換気ガラリＲＶ及び棟換気口Ｍが常時連通で開放通気の状態であり、夏、冬を問わず常時外壁下方より進入する外気Ｇが同通気層Ｖ２内の夏の太陽Ｓ１の輻射熱を伴う熱気あるいは冬の湿気を含み、上昇気流ｇ０として同通気層Ｖ２の通気路Ｖ２２を経過し、軒天換気口Ｎｇより進入する外気Ｇと合流し、上昇気流ｇ１として屋根通気層Ｖ１の通気路Ｖ１１を経過し、棟部常時通気専用経路Ｚ１１内に進入し、図２２（ｂ）に示す同常時通気専用経路Ｚ１１の両側妻壁に附設された妻面換気ガラリＲＶと棟換気口Ｍにより通気・排出され、又、同常時通気専用経路Ｚ１１内は同基本常設機能による常時通気の状態であり、常時直接外気Ｇの進入及び排出が行われている。（図６（ａ−３）及び図８と同様に付き参照）
【００７７】
一方、実施例２の、実施例１と異なる床下密閉ゾーンＺ４とする場合の、通気及び通気制御において、図２２（ｃ）の温度差利用の熱感知式形状記憶合金使用の自動開閉式の自然通気制御機器の換気ガラリＴ１が附設構成される通気及び通気制御の専用ゾーンの小屋裏ゾーンＺ２及び、同ゾーンＺ２と連結し、常時連通の内壁通気構造体ＷＺの内壁断熱通気構造ＷＤの図２３（ａ´）に示す土台Ｄ０に近接する通気層Ｖ３の取り込み部分との連携による通気及び通気制御の工程で、図２３（ｂ）に示すように、夏をＳとし、外気温が一定以上の場合に同時に自動開口し、図２３（ｃ）の２の状態で同ゾーンＺ２と通気層Ｖ３の取り込み部分が通気状態となり、又、同ゾーンＺ２の両側妻壁の同換気ガラリの通気による同ゾーンＺ２内への直接外気Ｇの進入・通気・排出を促し、又、通気状態の通気層Ｖ３の取り込み部分より進入する外気Ｇが同通気層Ｖ３内の熱気、湿気を伴い上昇気流ｇ２として同通気層Ｖ３の通気路Ｖ３３を経過し小屋裏ゾーンＺ２内へ進入し、同ゾーンＺ２内の気流と合流した上昇気流ｇ３として同ゾーンＺ２の自動開閉式の換気ガラリＴ１が図２３（ｃ）の２のＴ１−０の開口状態であり、通気排出され、又冬期間の一定温度以下で同（ｃ）の１のＴ１−Ｃの状態で同時閉鎖され、外気の進入を自動制御し、連携の通気及び通気制御が行われ室内を保温状態とし、暖房効果を高めるのである。
【００７８】
次に本実施例２の断熱通気構造体１´の専用ゾーン別ハイブリッド通気及び通気制御の方法は図２４（ａ）及び図２５（ａ）・（ａ´）に示すように、屋根裏ゾーンＺ１のハイブリッド通気機能ＫＣ−１は図２４の（ｂ）で、又、小屋裏ゾーンＺ２のハイブリッド通気及び通気制御機能ＫＣ−２は、同図２４の（ｂ´）であり、又、両機能のＫＣ−１自体、ＫＣ−２自体の構成は実施例１のハイブリッド通気及び通気制御機能の形態及び方法と同様であり、実施例２の基本常設機能に補助としてソーラーエネルギーを主とした換気ファンＫ１を屋根裏ゾーンＺ１に附設し、換気ファンＫ２は小屋裏ゾーンに附設構成され図２４の（ａ）は断面図又は附設機能の構成図、図２５（ｂ）は全体通気層断面図で（ａ）及び（ａ´）は通気層断面の分断図であり、又、夏をＳ、冬をＷとし、（ｂ）の全体通気層断面図は夏、冬期間における専用ゾーン別通気構造の通気層内の通気による気流の進入及び排出の工程と、通気制御の状態を図２３（ｃ）の自動開閉式の自然通気制御機能の状態図をもとに示すもので（ｃ）の１のＴＣ−１は閉鎖状態を示し、（ｃ）の２のＴ１−０は開口状態を示し比較対称とし、実施例２の常時開放通気の専用ゾーンの屋根裏ゾーンＺ１及び通気及び通気制御の専用ゾーンの小屋裏ゾーンＺ２の夏、冬期間を例とする専用ゾーン別ハイブリッド通気及び通気制御の方法及び通気形態は実施例１と同様で、又、同機能による通気効果も同様であり、夏、冬期間を共通して、実施例１の床下ゾーンＺ３がない床下密閉ゾーンの場合でも安定した通気及び通気制御ができることを示すものである。
【図面の簡単な説明】
【００７９】
【図１】本発明に係る実施例１の断熱通気構造体１の概略断面図（ａ）及び専用ゾーン別基本常設機能（ｂ）・（ｂ´）の構成図である。
【図２】同実施例１の専用ゾーン別概略断面の分断図（ａ）及び（ａ´）で、（ｂ）・（ｂ）は専用ゾーン別通気構造の通気層の概略分解図である。
【図３】同実施例１の小屋裏ゾーンＺ２の小屋裏断熱通気構造ＫＤの場合の屋根断熱通気構造ＹＤを含む概略断面分断図（ａ）で、（ｂ）は屋根裏ゾーンＺ１の共通する棟部常時通気専用経路Ｚ１１の屋根断熱通気構造ＹＤ及び小屋裏断熱通気構造ＫＤを含む概略断面分断図である。
【図４】同実施例１のいずれも共通の屋根裏ゾーンＺ１とする、異なる屋根の通気形態の全体通気層断面図（ａ）及び（ｂ）で、（ａ）の場合をＡ１、（ｂ）の場合をＡ２とし（ｃ）は自動開閉式の自然通気制御機器の開閉の状態を示すものである。
【図５】同実施例１の母屋間気密断熱施工の屋根断熱通気構造ＹＤで、Ｂ１とする（ａ）で、（ｂ）は垂木間又は、垂木間と垂木上の気密断熱施工の屋根断熱通気構造ＹＤでＢ２とし、いずれも屋根通気構造形態の屋根裏ゾーンＺ１とする概略通気構造断面の分断図である。
【図６】同実施例１の屋根の通気形態Ａ１とし、（ａ）は夏、冬期間の通気による気流の進入・排出の工程及び通気制御の例を示す全体通気層断面図。（ａ−１）・（ａ−２）は夏期間をＳとした例で、（ａ−３）は常時通気とする専用ゾーン別の通気による気流の進入及び排出を示す概略横断面図であり、前記（ａ）は夏をＳ、冬をＷとし、夏、冬期間を例とする。
【図７】同実施例１の屋根の通気形態Ａ２とし（ａ）は夏をＳ、冬をＷとし、夏、冬期間の通気による気流の進入・排出の工程及び通気制御の例を示す全体通気層断面図。      （ａ−１）・（ａ−２）は夏期間をＳとし、（ａ−３）は常時通気とする専用ゾーン別通気による気流の進入及び排出を示す概略横断面図である。
【図８】同実施例１の基本常設機能の附設構成を示す斜視図で又、屋根の通気形態Ａ１の、屋根の通気構造形態Ｂ２とした概略断面斜視図でもある。
【図９】同実施例１の夏をＳとし、例とする、専用ゾーン別通気層内の通気による気流の進入及び排出の工程を示す概略全体断面斜視図である。
【図１０】同実施例１の屋根の形状が四方傾斜状態の場合に組み合わせて構成される通気専用棟ＷＴの附設構成図である。
【図１１】同実施例１の屋根の形状が四方傾斜状態の屋根裏ゾーンＺ１及び小屋裏ゾーン    Ｚ２に係る基本常設機能（ｂ）及び（ｂ´）の附設構成を示す両ゾーンの概略斜視図（ａ）である。
【図１２】同実施例１の屋根の形状が四方傾斜状態の屋根裏ゾーンＺ１及び小屋裏ゾーン              Ｚ２の概略通気層断面図（ａ）で、（ｂ）は同屋根の通気形態を図（ａ）に示すＡ１とした、夏をＳ、冬をＷとし、夏、冬期間を例とした全体通気層断面図で、（ｃ）は自動開閉式の自然通気制御機器の開閉状態図である。
【図１３】同実施例１の断熱通気構造体１の概略断面図（ａ）であり、基本常設機能（ｂ）をもとに（ｂ´）の機能を専用ゾーン別に附設し混用する専用ゾーン別ハイブリッド通気及び通気制御機能の附設構成図でもある。
【図１４】同実施例１の常時通気の専用ゾーンと通気及び通気制御の専用ゾーン別ハイブリッド通気及び通気制御機能と制御装置の附設構成を示す概略断面分断図（ａ）及び（ａ´）で、（ｂ）・（ｂ´）は専用ゾーン別通気層の概略分解図である。
【図１５】同実施例１のハイブリッド通気及び通気制御を行う断熱通気構造体１の全体通気層断面図（ａ）で、（ａ−１）・（ａ−２）・（ａ−３）は（ｂ）の専用ゾーン別ハイブリッド通気及び通気制御機能による、専用ゾーン別気流の進入及び排出の工程を示す概略横断面図である。又、夏をＳ、冬をＷとし、夏、冬期間を例とする。
【図１６】同実施例１の屋根裏ゾーンＺ１及び小屋裏ゾーンＺ２を主に、専用ゾーン別ハイブリッド通気及び通気制御機能（ｂ）・（ｂ´）と制御装置の附設構成を示す概略断面斜視図（ａ）である。
【図１７】同実施例１の夏をＳとし、夏期間を例に、図１６の（ｂ）・（ｂ´）のハイブリッド通気及び通気制御機能による自然通気と自動制御の強制通気とする気流の進入・排出の工程を示す概略全体断面斜視図である。
【図１８】同実施例１の屋根の形状が四方傾斜状態の場合のハイブリッド通気及び通気制御機能（ｂ）のＫＣ−４が屋根裏ゾーンＺ１に附設構成されることを示す概略斜視図（ａ）である。
【図１９】同実施例１の屋根の形状が四方傾斜状態の場合の図１８に示す屋根裏ゾーンＺ１及び小屋裏ゾーンＺ２の概略通気層断面の分解図（ａ）で、（ｂ）は夏をＳ、冬をＷとし、夏、冬期間を例とする専用ゾーン別ハイブリッド通気及び通気制御機能による気流の進入・排出の工程及び通気制御の状態を示す全体通気層断面図である。
【図２０】同実施例１の屋根の形状が四方傾斜状態の場合の図１８の（ｂ）のハイブリッド通気及び通気制御機能ＫＣ−４を同ＫＣ−５とした（ｂ）の附設構成を示す概略斜視図  （ａ）である。
【図２１】同実施例１の屋根の形状が四方傾斜状態の場合のハイブリッド通気及び通気制御機能ＫＣ−５とした屋根裏ゾーンＺ１及び小屋裏ゾーンＺ２の概略通気層断面の分断図（ａ）で、（ｂ）は夏をＳ、冬をＷとし、夏、冬期間を例とする図２０（ｂ）、（ｃ）の専用ゾーン別ハイブリッド通気及び通気制御機能による気流の進入・排出の工程及び通気制御の状態を示す全体通気層断面図である。
【図２２】本発明に係る同実施例２の断熱通気構造体１´の概略断面図（ａ）であり、        （ｂ）・（ｂ´）及び（ｃ）の専用ゾーン別基本常設機能の構成図である。
【図２３】同実施例２の専用ゾーン別通気構造の通気層の概略分解図（ａ）・（ａ´）で、        （ｂ）は夏をＳ、冬をＷとし、夏、冬期間を例とする図２２の（ｂ）及び（ｃ）の基本常設機能による気流の進入・排出の工程及び通気制御の状態を示す全体通気層断面図である。又（ｃ）は自動開閉式の自然通気制御機器Ｔ１の開閉状態図で１は閉鎖状態を示し、２は開口状態を示す。
【図２４】同実施例２の断熱通気構造体１´の概略断面図（ａ）であり、又、実施例２がハイブリッド通気及び通気制御を行う（ｂ）・（ｂ´）の附設機能の構成を専用ゾーン別に示す附設構成図でもある。
【図２５】同実施例２がハイブリッド通気及び通気制御を行う専用ゾーン別附設機能の構成及び専用ゾーン別通気層を示す概略分解図（ａ）・（ａ´）で、（ｂ）は夏をＳ、冬をＷとし、夏、冬期間を例とする専用ゾーン別ハイブリッド通気及び通気制御機能による、気流の進入・排出の工程及び通気制御の状態を示す全体通気層断面図である。
【符号の説明】
【００８０】
１        断熱通気構造体
１´      断熱通気構造体（床下密閉ゾーンＺ４の場合で断熱通気構造体１と組み合わせ          構成される）
Ｚ１      屋根裏ゾーン
Ｚ１１    棟部常時通気専用経路（又は常時通気専用経路）
Ｚ１２    〃                  （        〃          ）
Ｚ２      小屋裏ゾーン
Ｚ３      床下ゾーン                            
Ｚ４      床下密閉ゾーン
ＷＺ      内壁通気構造体（外周の内壁構造部分）
ＷＴ      通気専用棟
ＷＤ      内壁断熱通気構造
ＹＤ      屋根断熱通気構造
ＫＤ      小屋裏断熱通気構造
ＫＤ１    小屋裏通気構造
ＵＤ      床下断熱通気構造
Ａ        屋根の板状の断熱フォーム
Ｂ        外壁に面する内壁の板状の断熱フォーム又は壁断熱フォーム
Ｃ        室内天井の板状の断熱フォーム又は天井断熱フォーム
Ｄ        床下地の板状の断熱フォーム又は床断熱フォーム
Ｄ´      立ち上り断熱布基礎の板状の断熱フォーム又は基礎断熱フォーム
Ｆ        ベタ基礎ベース又は土間的仕様のベタ基礎
Ｆ１      立ち上り断熱布基礎
ｆ０      土間防湿シート
Ｔ０      外壁の透湿シート
Ｎ        野路板及び透湿防水シートを含む屋根下葺材
Ｍ０      母屋
Ｄ０      土台
У        外壁
Ｃ０      室内天井
Ｗ０      室内の壁
ｆ        室内の床
Ｓ１      太陽
Ｅ        太陽光エネルギー又は直射日光
Ｓ        夏（又は夏期間）
Ｗ        冬（又は冬期間）
ｅ１      Ｚ１１の底面の一定の幅    
ｅ２      Ｚ１２の底面の一定の幅    
ｈ１      Ｚ１１の左右の高さ
ｈ２      Ｚ１２の左右の高さ
Ｌ        Ｚ１２の一連の長さ
Ｎｇ      軒天換気口（常時開口の自然開放通気機器）
Ｍ        棟換気口（常時開口の自然開放通気機器）
ＲＶ      妻面換気ガラリ（常時開口の自然開放通気機器）
ｆｇ      床用（室内）開閉型換気ガラリ
Ｔ１    自動開閉式換気ガラリ（角型）又は床下換気口（常時開口の自然開放通気機器  又は自動開閉式の温度差利用の熱感知式形状記憶合金使用の換気ガラリ（角型）又は（床下換気口）
Ｔ１−０  Ｔ１の開口状態を示す
Ｔ１−Ｃ  Ｔ１の閉鎖状態を示す
Ａ１      軒天通気・外壁通気を含む屋根の通気形態（ｋ１の施工）
Ａ２      軒天通気のみの屋根の通気形態（ｋ２の施工）
ｋ１      外壁の施工で軒天通過型の通気構法
ｋ２      外壁の施工で軒天不通過型の通気構法（外壁上部開放通気）
Ｂ１      母屋間気密断熱施工の屋根の通気構造形態
Ｂ２      垂木間または垂木間と垂木上気密断熱施工の屋根の通気構造形態
Ｖ１      屋根通気層      
Ｖ１１    屋根通気路                                                    
Ｖ２      外壁通気層
Ｖ２２    外壁通気路
Ｖ３      内壁通気層（外壁に面する内壁の通気層）
Ｖ３３    内壁通気路Ｖ３３（外壁に面する内壁の通気路）
Ｇ        外気
ｇ０      外壁通気路を通過する上昇気流
ｇ１      屋根通気路を通過する合流気流
ｇ２      床下からの上昇気流又は床下ゾーン内の気流
ｇ３      壁体内湿気を伴う上昇気流
ｇ４      小屋裏ゾーン内の合流気流（ｇ３と小屋裏ゾーン内の気流の合流気流）
ｇ５      Ｚ１２内を通過するｇ１とｇ４の合流気流
ｗａ      温熱
ｃａ      冷熱
Ｋ１      自動制御の換気ファン（ソーラーエネルギー使用の屋根裏用換気ファン）
Ｋ２      自動制御の換気ファン（ソーラーエネルギー使用の小屋裏及び内壁通気構造体          用換気ファン）
Ｋ３  自動制御の床下専用換気ファン（ソーラーエネルギー使用の床下専用換気ファン）
Ｋ４      開閉専用の電気式シャッター
Ｐ１      パイプダクト（換気ファンＫ１用）
Ｐ２      パイプダクト（換気ファンＫ２用）
Ｐ３      パイプダクト（床下専用換気ファン用）
Ｑ１      換気ファンＫ１の強制排気
Ｑ２      換気ファンＫ２の強制排気
Ｑ３      床下専用換気ファンＫ３の強制排気
ＫＣ−１  ハイブリッド通気機能（屋根裏用：ＮｇとＲＶとＭ及びＫ１の混用の通気・排          出機能）
ＫＣ−２  ハイブリッド通気及び通気制御機能（内壁通気構造体ＷＺを含む小屋裏用：Ｔ          １とＫ２の混用の通気・排出及び通気制御機能）
ＫＣ−３  ハイブリッド通気及び通気制御機能（床下用：Ｔ１とＫ３の混用の通気・排出          及び通気制御機能）
ＫＣ−４  ハイブリッド通気及び通気制御機能（屋根裏用：ＮｇとＲＶとＭ及びＫ１とさ          らにＫ４又はＴ１の混用の通気・排出及び通気制御機能）
ＫＣ−５  ハイブリッド通気及び通気制御機能（屋根裏用：ＮｇとＲＶとＭ及びＫ１とさ          らにＫ４又はＴ１の混用の通気・排出及び通気制御機能）
Ｅ０      太陽電池パネル
Ｅ１      増設用太陽電池パネル
ＣＲ      自動制御コントローラ
ＴＳ      温度スイッチ
ＨＳ      湿度スイッチ
ＴＣ      温度センサー
ＨＣ      湿度センサー
ＲＵ      リレーユニット（連動運転と家庭用電源の自動切換）
ＣＢ      コントロールボックス
ＹＣ      換気ファンＫ１の制御装置
ＫＣ      換気ファンＫ２又は換気ファンＫ２及びＫ４を含む制御装置
ＵＣ      床下専用換気ファンＫ３の制御装置

【図１】
0004482914.tif 000002
【図２】
0004482914.tif 000003
【図３】
0004482914.tif 000004
【図４】
0004482914.tif 000005
【図５】
0004482914.tif 000006
【図６】
0004482914.tif 000007
【図７】
0004482914.tif 000008
【図８】
0004482914.tif 000009
【図９】
0004482914.tif 000010
【図１０】
0004482914.tif 000011
【図１１】
0004482914.tif 000012
【図１２】
0004482914.tif 000013
【図１３】
0004482914.tif 000014
【図１４】
0004482914.tif 000015
【図１５】
0004482914.tif 000016
【図１６】
0004482914.tif 000017
【図１７】
0004482914.tif 000018
【図１８】
0004482914.tif 000019
【図１９】
0004482914.tif 000020
【図２０】
0004482914.tif 000021
【図２１】
0004482914.tif 000022
【図２２】
0004482914.tif 000023
【図２３】
0004482914.tif 000024
【図２４】
0004482914.tif 000025
【図２５】
0004482914.tif 000026